(57)【要約】【課題】ライフログカメラにおいて、ユーザが自発的に行う動画撮影の撮影時間が制限されることを抑制する。【解決手段】自動的に静止画撮影または動画撮影を行う自動撮影部と、ユーザの指示による手動での静止画撮影または動画撮影を行う手動撮影部と、過去のユーザの撮影状況を記録する記録部と、記録部から得られる情報に基づいて、ユーザによる手動での動画撮影の撮影時間と、その時の撮影状況との関連性を学習する学習部と、撮像装置の温度を管理する温度管理部と、学習部により学習された結果と、温度管理部から得られる情報とに基づいて、撮像装置が自動撮影中である場合の目標制御温度を算出する算出部と、目標制御温度に基づいて、自動撮影部の動作を制御する制御部とを備える。【選択図】  図25
2020145556.tif 000002
【特許請求の範囲】
【請求項１】
自動的に静止画撮影または動画撮影を行う自動撮影手段と、
ユーザの指示による手動での静止画撮影または動画撮影を行う手動撮影手段と、
過去のユーザの撮影状況を記録する記録手段と、
前記記録手段から得られる情報に基づいて、ユーザによる手動での動画撮影の撮影時間と、その時の撮影状況との関連性を学習する学習手段と、
撮像装置の温度を管理する温度管理手段と、
前記学習手段により学習された結果と、前記温度管理手段から得られる情報とに基づいて、前記撮像装置が自動撮影中である場合の目標制御温度を算出する算出手段と、
前記目標制御温度に基づいて、前記自動撮影手段の動作を制御する制御手段と、
を備えることを特徴とする撮像装置。
【請求項２】
前記記録手段は、ユーザの手動による動画撮影時間、手動での動画撮影頻度、手動での動画撮影間隔、被写体についての情報、シーンについての情報、地理情報、撮影時刻、移動速度の少なくともいずれかを記録することを特徴とする請求項１に記載の撮像装置。
【請求項３】
前記算出手段は、前記学習手段により学習された結果に基づいて、ユーザの手動による動画撮影時間を予測することを特徴とする請求項１または２に記載の撮像装置。
【請求項４】
前記算出手段は、予測された前記ユーザの手動による動画撮影時間に相当する温度上昇分を前記撮像装置の動作上限温度から差し引いた温度以下の温度を前記目標制御温度とすることを特徴とする請求項３に記載の撮像装置。
【請求項５】
前記算出手段は、予測された前記ユーザの手動による動画撮影時間に相当する温度上昇分を前記撮像装置の動作上限温度から差し引いた温度を前記目標制御温度とすることを特徴とする請求項４に記載の撮像装置。
【請求項６】
前記温度管理手段は、前記撮像装置のアクセサリーの熱容量をさらに取得することを特徴とする請求項１乃至５のいずれか１項に記載の撮像装置。
【請求項７】
前記制御手段は、前記目標制御温度に収束するように、あるいは前記目標制御温度以下となるように、前記自動撮影手段の撮影方法を変更することを特徴とする請求項１乃至６のいずれか１項に記載の撮像装置。
【請求項８】
前記撮影方法を変更するとは、低画質撮影、可変フレームレート撮影、間欠撮影、静止画撮影、パン・チルト機構の駆動制限の少なくともいずれかを行うことであることを特徴とする請求項７に記載の撮像装置。
【請求項９】
前記温度管理手段は、前記撮像装置の温度を検出する温度センサを有することを特徴とする請求項１乃至８のいずれか１項に記載の撮像装置。
【請求項１０】
自動的に静止画撮影または動画撮影を行う自動撮影手段と、ユーザの指示による手動での静止画撮影または動画撮影を行う手動撮影手段と、を備える撮像装置を制御する方法であって、
過去のユーザの撮影状況を記録する記録工程と、
前記記録工程から得られる情報に基づいて、ユーザによる手動での動画撮影の撮影時間と、その時の撮影状況との関連性を学習する学習工程と、
撮像装置の温度を管理する温度管理工程と、
前記学習工程により学習された結果と、前記温度管理工程から得られる情報とに基づいて、前記撮像装置が自動撮影中である場合の目標制御温度を算出する算出工程と、
前記目標制御温度に基づいて、前記自動撮影手段の動作を制御する制御工程と、
を有することを特徴とする撮像装置の制御方法。
【請求項１１】
請求項１０に記載の制御方法の各工程をコンピュータに実行させるためのプログラム。
【請求項１２】
請求項１０に記載の制御方法の各工程をコンピュータに実行させるためのプログラムを記憶したコンピュータが読み取り可能な記憶媒体。
【発明の詳細な説明】
【技術分野】
【０００１】
本発明は、撮像装置の温度上昇を考慮した撮影制御技術に関する。
【背景技術】
【０００２】
カメラ等の撮像装置による静止画・動画撮影においては、撮影者がファインダーを通して撮影対象を決定し、撮影状況を自ら確認して撮影画像のフレーミングを調整し、画像を撮影するのが一般的である。このような撮像装置では、ユーザの操作ミスや外部環境の検知を行い、撮影に適していない場合にはユーザに通知したり、撮影に適した状態になるようにカメラを制御したりする機能が備えられている。
【０００３】
このようなユーザの操作により撮影を実行する撮像装置に対し、ユーザが撮影指示を与えることなく定期的および継続的に撮影を行うライフログカメラが知られている。ライフログカメラは、ストラップ等でユーザの身体に装着された状態で用いられ、ユーザが日常生活で目にする光景を一定時間間隔で映像として記録するものである。ライフログカメラによる撮影は、ユーザがシャッターを切るなどの意図したタイミングで撮影するだけではなく、一定の時間間隔で自動的に撮影を行うため、普段撮影しないような不意な瞬間を映像として残すことができる。
【先行技術文献】
【特許文献】
【０００４】
【特許文献１】特表２０１６−５３６８６８号公報
【特許文献２】米国特許出願公開ＵＳ２０１７／００６９３４７号明細書
【発明の概要】
【発明が解決しようとする課題】
【０００５】
ライフログカメラでは静止画撮影だけではなく、動画撮影も自動的に、あるいはユーザの発意により行われる。しかしながら、動画撮影を行う場合、カメラの動作上限温度の制約により、長時間の連続撮影を行うことができないという課題がある。このような温度制約の課題によって、任意のタイミングによるユーザ発意のマニュアル撮影が阻害されてしまうおそれがある。
【０００６】
本発明は上述した課題に鑑みてなされたものであり、その目的は、ライフログカメラにおいて、ユーザが自発的に行う動画撮影の撮影時間が制限されることを抑制することである。
【課題を解決するための手段】
【０００７】
本発明に係わる撮像装置は、自動的に静止画撮影または動画撮影を行う自動撮影手段と、ユーザの指示による手動での静止画撮影または動画撮影を行う手動撮影手段と、過去のユーザの撮影状況を記録する記録手段と、前記記録手段から得られる情報に基づいて、ユーザによる手動での動画撮影の撮影時間と、その時の撮影状況との関連性を学習する学習手段と、撮像装置の温度を管理する温度管理手段と、前記学習手段により学習された結果と、前記温度管理手段から得られる情報とに基づいて、前記撮像装置が自動撮影中である場合の目標制御温度を算出する算出手段と、前記目標制御温度に基づいて、前記自動撮影手段の動作を制御する制御手段と、を備えることを特徴とする。
【発明の効果】
【０００８】
本発明によれば、ライフログカメラにおいて、ユーザが自発的に行う動画撮影の撮影時間が制限されることを抑制することが可能となる。
【図面の簡単な説明】
【０００９】
【図１】撮像装置を模式的に示す図である。
【図２】撮像装置の構成を示す図である。
【図３】撮像装置と外部機器との関係を示す図である。
【図４】外部機器の構成を示す図である。
【図５】撮像装置と外部機器との関係を示す図である。
【図６】外部機器の構成を示す図である。
【図７】第１制御部を説明するフローチャートである。
【図８】第２制御部を説明するフローチャートである。
【図９】撮影モード処理を説明するフローチャートである。
【図１０】撮影画像内のエリア分割を説明するための図である。
【図１１】鏡筒回転駆動部の構成を示す図である。
【図１２】画像上の被写体の目標位置と実位置を説明する図である。
【図１３】撮影方向変更操作検出を説明するフローチャートである。
【図１４】撮影方向変更操作検出を模式的に示す図である。
【図１５】撮影方向変更操作検出を模式的に示す図である。
【図１６】撮影方向変更操作検出処理を説明する図である。
【図１７】撮影方向変更操作検出処理を説明する図である。
【図１８】ニューラルネットワークを説明する図である。
【図１９】自動編集モード判定を説明するフローチャートである。
【図２０】自動編集処理を説明するフローチャートである。
【図２１】本実施形態に係る表示処理を説明する図である。
【図２２】学習モード判定を説明するフローチャートである。
【図２３】学習処理を説明するフローチャートである。
【図２４】ユーザによる手動での動画撮影が行われた時のＣＰＵ近傍での温度特性を示す図である。
【図２５】ユーザの手動による動画撮影指示を予測・考慮して自動撮影方法を判定・変更する方法のアルゴリズムを示す図である。
【図２６】ユーザの手動による動画撮影指示を予測・考慮して自動撮影が制御された場合の温度特性を示す図である。
【発明を実施するための形態】
【００１０】
以下、添付図面を参照して実施形態を詳しく説明する。なお、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
〔第１の実施形態〕
＜撮像装置の構成＞
図１は、本発明の第１の実施形態の撮像装置の構成を模式的に示す図である。
【００１２】
図１（ａ）に示す撮像装置１０１は、電源スイッチの操作を行うことができる操作部材（以後、電源ボタンというが、タッチパネルへのタップやフリック、スワイプなどの操作でもよい）などが設けられている。撮像を行う撮影レンズ群や撮像素子を含む筐体である鏡筒１０２は、撮像装置１０１に取り付けられ、鏡筒１０２を固定部１０３に対して回転駆動できる回転機構を設けている。チルト回転ユニット１０４は、鏡筒１０２を図１（ｂ）に示すピッチ方向に回転できるモーター駆動機構であり、パン回転ユニット１０５は、鏡筒１０２をヨー方向に回転できるモーター駆動機構である。よって、鏡筒１０２は、１軸以上の方向に回転可能である。なお、図１（ｂ）は、固定部１０３の位置での軸定義である。角速度計１０６と加速度計１０７はともに、撮像装置１０１の固定部１０３に実装されている。そして、角速度計１０６や加速度計１０７に基づいて、撮像装置１０１の振動を検出し、チルト回転ユニットとパン回転ユニットを検出した揺れ角度に基づいて回転駆動する。これにより、可動部である鏡筒１０２の振れを補正したり、傾きを補正したりする構成となっている。
【００１３】
図２は、本実施形態の撮像装置の構成を示すブロック図である。
【００１４】
図２において、第１制御部２２３は、プロセッサ（例えば、ＣＰＵ、ＧＰＵ、マイクロプロセッサ、ＭＰＵなど）、メモリ（例えば、ＤＲＡＭ、ＳＲＡＭなど）からなる。これらは、各種処理を実行して撮像装置１０１の各ブロックを制御したり、各ブロック間でのデータ転送を制御したりする。不揮発性メモリ（ＥＥＰＲＯＭ）２１６は、電気的に消去・記録可能なメモリであり、第１制御部２２３の動作用の定数、プログラム等が記憶される。
【００１５】
図２において、ズームユニット２０１は、変倍を行うズームレンズを含む。ズーム駆動制御部２０２は、ズームユニット２０１を駆動制御する。フォーカスユニット２０３は、ピント調整を行うレンズを含む。フォーカス駆動制御部２０４は、フォーカスユニット２０３を駆動制御する。
【００１６】
撮像部２０６では、撮像素子が各レンズ群を通して入射する光を受け、その光量に応じた電荷の情報をアナログ画像信号として画像処理部２０７に出力する。画像処理部２０７はＡ／Ｄ変換により出力されたデジタル画像データに対して、歪曲補正やホワイトバランス調整や色補間処理等の画像処理を適用し、適用後のデジタル画像データを出力する。画像処理部２０７から出力されたデジタル画像データは、画像記録部２０８でＪＰＥＧ形式等の記録用フォーマットに変換され、メモリ２１５や後述する映像出力部２１７に送信される。
【００１７】
鏡筒回転駆動部２０５は、チルト回転ユニット１０４、パン回転ユニット１０５を駆動して鏡筒１０２をチルト方向とパン方向に駆動させる。
【００１８】
装置揺れ検出部２０９は、例えば撮像装置１０１の３軸方向の角速度を検出する角速度計（ジャイロセンサ）１０６や、装置の３軸方向の加速度を検出する加速度計（加速度センサ）１０７が搭載される。装置揺れ検出部２０９は、検出された信号に基づいて、装置の回転角度や装置のシフト量などを演算する。
【００１９】
音声入力部２１３は、撮像装置１０１に設けられたマイクから撮像装置１０１周辺の音声信号を取得し、アナログデジタル変換をして音声処理部２１４に送信する。音声処理部２１４は、入力されたデジタル音声信号の適正化処理等の音声に関する処理を行う。そして、音声処理部２１４で処理された音声信号は、第１制御部２２３によりメモリ２１５に送信される。メモリ２１５は、画像処理部２０７、音声処理部２１４により得られた画像信号及び音声信号を一時的に記憶する。
【００２０】
画像処理部２０７及び音声処理部２１４は、メモリ２１５に一時的に記憶された画像信号や音声信号を読み出して画像信号の符号化、音声信号の符号化などを行い、圧縮画像信号、圧縮音声信号を生成する。第１制御部２２３は、これらの圧縮画像信号、圧縮音声信号を、記録再生部２２０に送信する。
【００２１】
記録再生部２２０は、記録媒体２２１に対して画像処理部２０７及び音声処理部２１４で生成された圧縮画像信号、圧縮音声信号、その他撮影に関する制御データ等を記録する。また、音声信号を圧縮符号化しない場合には、第１制御部２２３は、音声処理部２１４により生成された音声信号と画像処理部２０７により生成された圧縮画像信号とを、記録再生部２２０に送信し記録媒体２２１に記録させる。
【００２２】
記録媒体２２１は、撮像装置１０１に内蔵された記録媒体でも、取外し可能な記録媒体でもよい。記録媒体２２１は、撮像装置１０１で生成した圧縮画像信号、圧縮音声信号、音声信号などの各種データを記録することができ、不揮発性メモリ２１６よりも大容量な媒体が一般的に使用される。例えば、記録媒体２２１は、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。
【００２３】
記録再生部２２０は、記録媒体２２１に記録された圧縮画像信号、圧縮音声信号、音声信号、各種データ、プログラムを読み出す（再生する）。そして読み出した圧縮画像信号、圧縮音声信号を、第１制御部２２３が画像処理部２０７及び音声処理部２１４に送信する。画像処理部２０７及び音声処理部２１４は、圧縮画像信号、圧縮音声信号を一時的にメモリ２１５に記憶させ、所定の手順で復号し、復号した信号を映像出力部２１７、音声出力部２１８に送信する。
【００２４】
音声入力部２１３は複数のマイクが撮像装置１０１に搭載されており、音声処理部２１４は複数のマイクが設置された平面に対する音の方向を検出することができ、後述する探索や自動撮影に用いられる。さらに、音声処理部２１４では、特定の音声コマンドを検出する。音声コマンドは事前に登録されたいくつかのコマンドの他、ユーザが特定音声を撮像装置に登録できる構成にしてもよい。また、音シーン認識も行う。音シーン認識では、予め大量の音声データを基に機械学習により学習させたネットワークにより音シーン判定を行う。例えば、「歓声が上がっている」、「拍手している」、「声を発している」などの特定シーンを検出するためのネットワークが音声処理部２１４に設定されている。そして、特定音シーンや特定音声コマンドを検出すると、第１制御部２２３や第２制御部２１１に、検出トリガー信号を出力するように構成されている。
【００２５】
撮像装置１０１のメインシステム全体を制御する第１制御部２２３とは別に設けられた、第２制御部２１１が第１制御部２２３の供給電源を制御する。
【００２６】
第１電源部２１０と第２電源部２１２は、第１制御部２２３と第２制御部２１１を動作させるための、電源をそれぞれ供給する。撮像装置１０１に設けられた電源ボタンの押下により、まず第１制御部２２３と第２制御部２１１の両方に電源が供給されるが、後述するように、第１制御部２２３は、第１電源部２１０へ自らの電源供給をＯＦＦするように制御する。第１制御部２２３が動作していない間も、第２制御部２１１は動作しており、装置揺れ検出部２０９や音声処理部２１４からの情報が入力される。第２制御部は各種入力情報を基にして、第１制御部２２３を起動するか否かの判定処理を行い、起動判定されると第１電源部に電源供給指示をするように構成されている。
【００２７】
音声出力部２１８は、例えば撮影時などに撮像装置１０１に内蔵されたスピーカーから予め設定された音声パターンを出力する。
【００２８】
ＬＥＤ制御部２２４は、例えば撮影時などに撮像装置１０１に設けられたＬＥＤを予め設定されたパターンで点灯させたり点滅させたりする。
【００２９】
映像出力部２１７は、例えば映像出力端子からなり、接続された外部ディスプレイ等に映像を表示させるために画像信号を送信する。また、音声出力部２１８、映像出力部２１７は、結合された１つの端子、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子のような端子であってもよい。
【００３０】
通信部２２２は、撮像装置１０１と外部装置との間で通信を行うもので、例えば、音声信号、画像信号、圧縮音声信号、圧縮画像信号などのデータを送信したり受信したりする。また、撮影開始や終了コマンド、パン・チルトやズーム駆動等の、撮影にかかわる制御信号を受信して、撮像装置１０１と相互通信可能な外部機器の指示により撮像装置１０１を駆動する。また、撮像装置１０１と外部装置との間で、後述する学習処理部２１９で処理される学習にかかわる各種パラメータなどの情報を送信したり受信したりする。通信部２２２は、例えば、赤外線通信モジュール、Ｂｌｕｅｔｏｏｔｈ通信モジュール、無線ＬＡＮ通信モジュール、ＷｉｒｅｌｅｓｓＵＳＢ、ＧＰＳ受信機等の無線通信モジュールである。
【００３１】
温度管理部２２５は、温度センサ２２６から撮像装置１０１の温度情報（ＣＰＵ近傍の特定箇所の温度、装置表面の温度、外気温、撮像装置の熱容量等）を取得し、撮像装置の温度に応じて自動撮影動作を制御する。この動作の詳細については後述する。
【００３２】
撮影状況記録部２２８は、過去のユーザによる手動での動画撮影時間、手動での動画撮影頻度、手動での動画撮影間隔、被写体、シーン、地理情報、時刻、ユーザの移動速度等を記録する。
【００３３】
＜外部通信機器との関係＞
図３は、撮像装置１０１と外部装置３０１との無線通信システムの構成例を示す図である。撮像装置１０１は撮影機能を有するデジタルカメラであり、外部装置３０１はＢｌｕｅｔｏｏｔｈ通信モジュール、無線ＬＡＮ通信モジュールを含むスマートデバイスである。
【００３４】
撮像装置１０１とスマートデバイス３０１は、例えばＩＥＥＥ８０２．１１規格シリーズに準拠した無線ＬＡＮによる通信３０２と、例えばＢｌｕｅｔｏｏｔｈ  Ｌｏｗ  Ｅｎｅｒｇｙ（以下、「ＢＬＥ」と呼ぶ）ＢＬＥなどの、制御局と従属局などの主従関係を有する通信３０３とによって通信可能である。なお、無線ＬＡＮ及びＢＬＥは通信手法の一例であり、各通信装置は、２つ以上の通信機能を有し、例えば制御局と従属局との関係の中で通信を行う一方の通信機能によって、他方の通信機能の制御を行うことが可能であれば、他の通信手法が用いられてもよい。ただし、一般性を失うことなく、無線ＬＡＮなどの第１の通信は、ＢＬＥなどの第２の通信より高速な通信が可能であり、また、第２の通信は、第１の通信よりも消費電力が少ないか通信可能距離が短いかの少なくともいずれかであるものとする。
【００３５】
スマートデバイス３０１の構成を、図４を用いて説明する。
【００３６】
スマートデバイス３０１は、例えば、無線ＬＡＮ用の無線ＬＡＮ制御部４０１、及び、ＢＬＥ用のＢＬＥ制御部４０２に加え、公衆無線通信用の公衆回線制御部４０６を有する。また、スマートデバイス３０１は、パケット送受信部４０３をさらに有する。無線ＬＡＮ制御部４０１は、無線ＬＡＮのＲＦ制御、通信処理、ＩＥＥＥ８０２．１１規格シリーズに準拠した無線ＬＡＮによる通信の各種制御を行うドライバや無線ＬＡＮによる通信に関するプロトコル処理を行う。ＢＬＥ制御部４０２は、ＢＬＥのＲＦ制御、通信処理、ＢＬＥによる通信の各種制御を行うドライバやＢＬＥによる通信に関するプロトコル処理を行う。公衆回線制御部４０６は、公衆無線通信のＲＦ制御、通信処理、公衆無線通信の各種制御を行うドライバや公衆無線通信関連のプロトコル処理を行う。公衆無線通信は例えばＩＭＴ（Ｉｎｔｅｒｎａｔｉｏｎａｌ  Ｍｕｌｔｉｍｅｄｉａ  Ｔｅｌｅｃｏｍｍｕｎｉｃａｔｉｏｎｓ）規格やＬＴＥ（Ｌｏｎｇ  Ｔｅｒｍ  Ｅｖｏｌｕｔｉｏｎ）規格などに準拠したものである。パケット送受信部４０３は、無線ＬＡＮ並びにＢＬＥによる通信及び公衆無線通信に関するパケットの送信と受信との少なくともいずれかを実行するための処理を行う。なお、本例では、スマートデバイス３０１は、通信においてパケットの送信と受信との少なくともいずれかを行うものとして説明するが、パケット交換以外に、例えば回線交換など、他の通信形式が用いられてもよい。
【００３７】
スマートデバイス３０１は、例えば、制御部４１１、記憶部４０４、ＧＰＳ受信部４０５、表示部４０７、操作部４０８、音声入力音声処理部４０９、電源部４１０をさらに有する。制御部４１１は、例えば、記憶部４０４に記憶される制御プログラムを実行することにより、スマートデバイス３０１全体を制御する。記憶部４０４は、例えば制御部４１１が実行する制御プログラムと、通信に必要なパラメータ等の各種情報とを記憶する。後述する各種動作は、記憶部４０４に記憶された制御プログラムを制御部４１１が実行することにより、実現される。
【００３８】
電源部４１０はスマートデバイス３０１に電源を供給する。表示部４０７は、例えば、ＬＣＤやＬＥＤのように視覚で認知可能な情報の出力、又はスピーカー等の音出力が可能な機能を有し、各種情報の表示を行う。操作部４０８は、例えばユーザによるスマートデバイス３０１の操作を受け付けるボタン等である。なお、表示部４０７及び操作部４０８は、例えばタッチパネルなどの共通する部材によって構成されてもよい。
【００３９】
音声入力音声処理部４０９は、例えばスマートデバイス３０１に内蔵された汎用的なマイクから、ユーザが発した音声を取得し、音声認識処理により、ユーザの操作命令を取得する構成にしてもよい。
【００４０】
また、スマートデバイス内の専用のアプリケーションを介して、ユーザの発音により音声コマンドを取得する。そして、無線ＬＡＮによる通信３０２を介して、撮像装置１０１の音声処理部２１４に特定音声コマンド認識させるための特定音声コマンドとして登録することもできる。
【００４１】
ＧＰＳ（Ｇｌｏｂａｌ  ｐｏｓｉｔｉｏｎｉｎｇ  ｓｙｓｔｅｍ）４０５は、衛星から通知されるＧＰＳ信号を受信し、ＧＰＳ信号を解析し、スマートデバイス３０１の現在位置（経度・緯度情報）を推定する。もしくは、位置推定は、ＷＰＳ（Ｗｉ−Ｆｉ  Ｐｏｓｉｔｉｏｎｉｎｇ  Ｓｙｓｔｅｍ）等を利用して、周囲に存在する無線ネットワークの情報に基づいて、スマートデバイス３０１の現在位置を推定するようにしてもよい。取得した現在のＧＰＳ位置情報が予め事前に設定されている位置範囲（所定半径の範囲以内）に位置している場合に、ＢＬＥ制御部４０２を介して撮像装置１０１へ移動情報を通知し、後述する自動撮影や自動編集のためのパラメータとして使用する。また、ＧＰＳ位置情報に所定以上の位置変化があった場合に、ＢＬＥ制御部４０２を介して撮像装置１０１へ移動情報を通知し、後述する自動撮影や自動編集のためのパラメータとして使用する。
【００４２】
上記のように撮像装置１０１とスマートデバイス３０１は、無線ＬＡＮ制御部４０１、及び、ＢＬＥ制御部４０２を用いた通信により、撮像装置１０１とデータのやりとりを行う。例えば、音声信号、画像信号、圧縮音声信号、圧縮画像信号などのデータを送信したり受信したりする。また、スマートデバイスから撮像装置１０１の撮影などの操作指示であったり、音声コマンド登録データ送信や、ＧＰＳ位置情報に基づいた所定位置検出通知や場所移動通知を行う。また、スマートデバイス内の専用のアプリケーションを介しての学習用データの送受信も行う。
【００４３】
＜アクセサリ類の構成＞
図５は、撮像装置１０１と通信可能である外部装置５０１との関係を示す図である。撮像装置１０１は撮影機能を有するデジタルカメラであり、外部装置５０１は、例えばＢｌｕｅｔｏｏｔｈ通信モジュールなどにより撮像装置１０１と通信可能である各種センシング部を含むウエアラブルデバイスである。
【００４４】
ウエアラブルデバイス５０１は、例えばユーザの腕などに装着できるように構成されており、所定の周期でユーザの脈拍、心拍、血流等の生体情報を検出するセンサやユーザの運動状態を検出できる加速度センサ等が搭載されている。
【００４５】
生体情報検出部５０２は、例えば、脈拍を検出する脈拍センサ、心拍を検出する心拍センサ、血流を検出する血流センサ、導電性高分子による皮膚の接触によって電位の変化を検出したことを検知するセンサを含む。本実施形態では、生体情報検出部５０２として心拍センサを用いて説明する。心拍センサは、例えばＬＥＤ等を用いて皮膚に赤外光を照射し、体組織を透過した赤外光を受光センサで検出して信号処理することによりユーザの心拍を検出する。生体情報検出部５０２は、検出した生体情報を信号として、後述する制御部６０７へ出力する。
【００４６】
ユーザの運動状態を検出する揺れ検出部５０３は、例えば、加速度センサやジャイロセンサを搭載しており、加速度の情報に基づきユーザが移動しているかどうかや、腕を振り回してアクションをしているかどうかなどのモーションを検出することができる。
【００４７】
また、ユーザによるウエアラブルデバイス５０１の操作を受け付ける操作部５０５や、ＬＣＤやＬＥＤのように視覚で認知可能な情報を出力する表示部５０４が搭載される。
【００４８】
ウエアラブルデバイス５０１の構成を、図６を用いて説明する。
【００４９】
ウエアラブルデバイス５０１は、例えば、制御部６０７、通信部６０１、生体情報検出部５０２、揺れ検出部５０３、表示部５０４、操作部５０５、電源部６０６、記憶部６０８を有する。
【００５０】
制御部６０７は、例えば、記憶部６０８に記憶される制御プログラムを実行することにより、ウエアラブルデバイス５０１全体を制御する。記憶部６０８は、例えば制御部６０７が実行する制御プログラムと、通信に必要なパラメータ等の各種情報とを記憶する。後述する各種動作は、例えば記憶部６０８に記憶された制御プログラムを制御部６０７が実行することにより、実現される。
【００５１】
電源部６０６はウエアラブルデバイス５０１に電源を供給する。表示部５０４は、例えば、ＬＣＤやＬＥＤのように視覚で認知可能な情報の出力、又はスピーカー等の音出力が可能な機能を有し、各種情報の表示を行う。操作部５０５は、例えばユーザによるウエアラブルデバイス５０１の操作を受け付けるボタン等である。なお、表示部５０４及び操作部５０５は、例えばタッチパネルなどの共通する部材によって構成されてもよい。
【００５２】
また、操作部は、例えばウエアラブルデバイス５０１に内蔵された汎用的なマイクから、ユーザが発した音声を取得し、音声処理によりユーザが発した音声を取得し、音声認識処理により、ユーザの操作命令を取得する構成にしてもよい。
【００５３】
生体情報検出部５０２や揺れ検出部５０３から制御部６０７へ送られ、処理された各種検出情報は、通信部６０１により、撮像装置１０１へ送信される。
【００５４】
例えば、ユーザの心拍の変化を検出したタイミングで検出情報を撮像装置１０１に送信したり、歩行移動／走行移動／立ち止まりなどの移動状態の変化のタイミングで検出情報を送信したりする。また、例えば、予め設定された腕ふりのモーションを検出したタイミングで検出情報を送信したり、予め設定された距離の移動を検出したタイミングで検出情報を送信したりする。
【００５５】
＜撮像動作のシーケンス＞
図７は、本実施形態における撮像装置１０１の第１制御部２２３が受け持つ動作の例を説明するフローチャートである。
【００５６】
ユーザが撮像装置１０１に設けられた電源ボタンを操作すると、第１電源部２１０により電源供給部から、第１制御部２２３及び撮像装置１０１の各ブロックに電源を供給させる。
【００５７】
また、同様に第２制御部２１１においても第２電源部２１２により電源供給部から、第２制御部に電源を供給されるが、第２制御部の動作の詳細については後述する図８のフローチャートを用いて説明する。
【００５８】
電源が供給されると、図７の処理がスタートする。Ｓ７０１では、起動条件の読み込みが行われる。本実施形態においては、起動条件は以下である。
【００５９】
（１）電源ボタンが手動で押下されて電源起動
（２）外部機器（例えば３０１）から外部通信（例えばＢＬＥ通信）からの指示で電源起動
（３）Ｓｕｂプロセッサ（第２制御部２１１）から、電源起動
ここで、（３）のＳｕｂプロセッサから電源起動の場合は、Ｓｕｂプロセッサ内で演算された起動条件が読み込まれることになるが、詳細は後述する図８で説明する。
【００６０】
また、ここで読み込まれた起動条件は、被写体探索や自動撮影時の１つのパラメータ要素として用いられるが、後述して説明する。起動条件読み込みが終了するとＳ７０２に進む。
【００６１】
Ｓ７０２では、各種センサの読み込みが行われる。ここで読み込まれるセンサは、装置揺れ検出部２０９からのジャイロセンサや加速度センサなどの振動検出するセンサであったりする。また、チルト回転ユニット１０４やパン回転ユニット１０５の回転位置であったりする。また、音声処理部２１４にて検出される音声レベルや特定音声認識の検出トリガーや音方向検出だったりする。
【００６２】
また、図１乃至図６には図示していないが、環境情報を検出するセンサでも情報を取得する。
【００６３】
例えば、所定の周期で撮像装置１０１の周辺の温度を検出する温度センサや、撮像装置１０１の周辺の気圧の変化を検出する気圧センサがある。また、撮像装置１０１の周辺の明るさを検出する照度センサや、撮像装置１０１の周辺の湿度を検出する湿度センサや、撮像装置１０１の周辺の紫外線量を検出するＵＶセンサ等を備えてもよい。検出した温度情報や気圧情報や明るさ情報や湿度情報やＵＶ情報に加え、検出した各種情報から所定時間間隔での変化率を算出した温度変化量や気圧変化量や明るさ変化量や湿度変化量や紫外線変化量などを後述する自動撮影などの判定に使用する。
【００６４】
Ｓ７０２で各種センサ読み込みが行われるとＳ７０３に進む。
【００６５】
Ｓ７０３では、外部機器からの通信が指示されているかを検出し、通信指示があった場合、外部機器との通信を行う。
【００６６】
例えば、スマートデバイス３０１から、無線ＬＡＮやＢＬＥを介した、リモート操作であったり、音声信号、画像信号、圧縮音声信号、圧縮画像信号などのデータを送信したり受信したりする。また、スマートデバイス３０１からの撮像装置１０１の撮影などの操作指示や、音声コマンド登録データ送信や、ＧＰＳ位置情報に基づいた所定位置検出通知や場所移動通知や学習用データの送受信の指示があるかどうかの読み込みを行う。
【００６７】
また、例えば、ウエアラブルデバイス５０１から、ユーザの運動情報、腕のアクション情報、心拍などの生体情報の更新がある場合、ＢＬＥを介した情報の読み込みを行う。また、上述した環境情報を検出する各種センサは、撮像装置１０１に搭載してもよいが、スマートデバイス３０１或いはウエアラブルデバイス５０１に搭載していてもよく、その場合、ＢＬＥを介した環境情報の読み込みも行う。Ｓ７０３で外部機器からの通信読み込みが行われると、Ｓ７０４に進む。
【００６８】
Ｓ７０４では、モード設定判定が行われる。Ｓ７０４で設定されるモードは、以下の内から判定され選ばれる。
【００６９】
また、例えば、撮像された画像から特定の被写体（人物の顔など）を検出したり、特定の構図を検出してもよい。
【００７０】
（１）自動撮影モード
［モード判定条件］
後述する学習により設定された各検出情報（画像、音、時間、振動、場所、身体の変化、環境変化）や、自動撮影モードに移行してからの経過時間や、過去の撮影情報などから、自動撮影を行うべきと判定されると、自動撮影モードに設定される。
【００７１】
［モード内処理］
自動撮影モード処理（Ｓ７１０）では、各検出情報（画像、音、時間、振動、場所、体の変化、環境変化）に基づいて、パン・チルトやズームを駆動して被写体を自動探索する。そして、ユーザの好みの撮影が行えるタイミングであると判定されると自動で撮影が行われる。
【００７２】
（２）自動編集モード
［モード判定条件］
前回自動編集を行ってからの経過時間と、過去の撮影画像情報から、自動編集を行うべきと判定されると、自動編集モードに設定される。
【００７３】
［モード内処理］
自動編集モード処理（Ｓ７１２）では、学習に基づいた静止画像や動画像の選抜処理を行い、学習に基づいて画像効果や編集後動画の時間などにより、一つの動画にまとめたハイライト動画を作成する自動編集処理が行われる。
【００７４】
（３）画像転送モード
［モード判定条件］
スマートデバイス内の専用のアプリケーションを介した指示により、画像自動転送モードに設定されている場合、前回画像転送を行ってからの経過時間と過去の撮影画像情報から、画像自動転送を行うべきと判定されると、自動画像転送モードに設定される。
【００７５】
［モード内処理］
画像自動転送モード処理（Ｓ７１４）では、撮像装置１０１は、ユーザの好みであろう画像を自動で抽出し、スマートデバイス３０１にユーザの好みの画像を自動で抽出し、転送する処理が行われる。ユーザの好みの画像抽出は、後述する各画像に付加されたユーザの好みを判定したスコアにより行われる。
【００７６】
（４）学習モード
［モード判定条件］
前回学習処理を行ってからの経過時間と、学習に使用することのできる画像に一体となった情報や学習データの数などから、自動学習を行うべきと判定されると、自動学習モードに設定される。または、スマートデバイス３０１からの通信を介して学習データが設定されるように指示があった場合も本モードに設定される。
【００７７】
［モード内処理］
自動学習モード処理（Ｓ７１６）では、ユーザの好みに合わせた学習を行う。スマートデバイス３０１での各操作、スマートデバイス３０１からの学習情報通知などの情報を基にニューラルネットワークを用いて、ユーザの好みに合わせた学習が行われる。スマートデバイス３０１での各操作の情報としては、例えば、撮像装置からの画像取得情報、専用アプリケーションを介して手動による編集指示がされた情報、撮像装置内の画像に対してユーザが入力した判定値情報がある。
【００７８】
また、個人認証の登録や音声登録、音シーン登録、一般物体認識登録などの、検出に関する学習や、上述した低消費電力モードの条件などの学習も同時に行われる。
【００７９】
（５）ファイル自動削除モード
［モード判定条件］
前回ファイル自動削除を行ってからの経過時間と、画像を記録している不揮発性メモリ２１６の残容量とから、ファイル自動削除を行うべきと判定されると、ファイル自動削除モードに設定される。
【００８０】
［モード内処理］
ファイル自動削除モード処理（Ｓ７１８）では、不揮発性メモリ２１６内の画像の中から、各画像のタグ情報と撮影された日時などから自動削除されるファイルを指定し削除する。
【００８１】
なお、自動撮影モード処理、自動編集モード処理、学習モード処理についての詳細は、後述する。
【００８２】
Ｓ７０５ではＳ７０４でモード設定判定が低消費電力モードに設定されているかどうかを判定する。低消費電力モード判定では、後述する「自動撮影モード」、「自動編集モード」、「画像自動転送モード」、「学習モード」、「ファイル自動削除モード」、の何れのモードの判定条件でもない場合に、低消費電力モードになるように判定される。判定処理が行われるとＳ７０５に進む。
【００８３】
Ｓ７０５では、低消費電力モード条件であると判定されれば、Ｓ７０６に進む。
【００８４】
Ｓ７０６では、Ｓｕｂプロセッサ（第２制御部２１１）へ、Ｓｕｂプロセッサ内で判定する起動要因に係る各種パラメータ（揺れ検出判定用パラメータ、音検出用パラメータ、時間経過検出パラメータ）を通知する。各種パラメータは後述する学習処理にて、学習されることによって値が変化する。Ｓ７０６の処理を終了すると、Ｓ７０７に進み、Ｍａｉｎプロセッサ（第１制御部２２３）の電源をＯＦＦして、処理を終了する。
【００８５】
一方、Ｓ７０５で低消費電力モードでないと判定されると、Ｓ７０９に進み、モード設定が自動撮影モードであるか否かを判定し、自動撮影モードであればＳ７１０に進み、自動撮影モード処理が行われる。処理が終了すると、Ｓ７０２に戻り、処理を繰り返す。Ｓ７０９で、自動撮影モードでないと判定されると、Ｓ７１１に進む。
【００８６】
Ｓ７１１では、モード設定が自動編集モードであるか否かを判定し、自動編集モードであればＳ７１２に進み、自動編集モード処理が行われる。処理が終了すると、Ｓ７０２に戻り、処理を繰り返す。Ｓ７１１で、自動編集モードでないと判定されると、Ｓ７１３に進む。
【００８７】
Ｓ７１３では、モード設定が画像自動転送モードであるか否かを判定し、画像自動転送モードであればＳ７１４に進み、画像自動転送モード処理が行われる。処理が終了すると、Ｓ７０２に戻り、処理を繰り返す。Ｓ７１３で、画像自動転送モードでないと判定されると、Ｓ７１５に進む。
【００８８】
Ｓ７１５では、モード設定が学習モードであるか否かを判定し、学習モードであればＳ７１６に進み、学習モード処理が行われる。処理が終了すると、Ｓ７０２に戻り、処理を繰り返す。Ｓ７１５で、学習モードでないと判定されると、Ｓ７１７に進む。
【００８９】
Ｓ７１７では、モード設定がファイル自動削除モードであるか否かを判定し、ファイル自動削除モードであればＳ７１８に進み、ファイル自動削除モード処理が行われる。処理が終了すると、Ｓ７０２に戻り、処理を繰り返す。Ｓ７１７で、学習モードでないと判定されると、Ｓ７０２に戻り、処理を繰り返す。
【００９０】
図８は、本実施形態における撮像装置１０１の第２制御部２１１が受け持つ動作の例を説明するフローチャートである。
【００９１】
ユーザが撮像装置１０１に設けられた電源ボタンを操作すると、第１電源部２１０により電源供給部から第１制御部２２３へ電源が供給されるのと同様に第２制御部２１１においても第２電源部２１２により電源供給部から第２制御部２１１に電源が供給される。電源が供給されると、Ｓｕｂプロセッサ（第２制御部２１１）が起動され、図８の処理がスタートする。
【００９２】
Ｓ８０１では、サンプリングの周期となる所定期間が経過したか否かを判定する。例えば１０ｍｓｅｃに設定された場合、１０ｍｓｅｃ周期で、Ｓ８０２に進む。所定期間が経過していないと判定されると、Ｓｕｂプロセッサは何も処理をせずにＳ８０１に戻って所定期間が経過するのを待つ。
【００９３】
Ｓ８０２では、学習情報の読み込みが行われる。学習情報は、図７のＳ７０６でのＳｕｂプロセッサへ情報通信する際に、転送された情報であり、例えば以下の情報が読み込まれる。
【００９４】
（１）特定揺れ検出の判定条件
（２）特定音検出の判定条件
（３）時間経過判定の判定条件
Ｓ８０２で学習情報が読み込まれると、Ｓ８０３に進み、揺れ検出値が取得される。揺れ検出値は、装置揺れ検出部２０９からのジャイロセンサや加速度センサなどの振動検出するセンサからの出力値である。
【００９５】
Ｓ８０３で揺れ検出値が取得されると、Ｓ８０４に進み、予め設定された揺れ状態検出の処理を行う。ここでは、Ｓ８０２で読み込まれた学習情報によって、判定処理を変更する。いくつかの例を説明する。
【００９６】
（１）タップ検出
ユーザが撮像装置１０１を例えば指先などで叩いた状態（タップ状態）を、撮像装置１０１に取り付けられた加速度センサの出力値より検出することが可能である。３軸の加速度センサの出力を所定サンプリングで特定の周波数領域に設定したバンドパスフィルタ（ＢＰＦ）に通すことで、タップによる加速度変化の信号領域を抽出することができる。ＢＰＦ後の加速度信号を所定時間ＴｉｍｅＡ間に、所定閾値ＴｈｒｅｓｈＡを超えた回数が、所定回数ＣｏｕｎｔＡであるか否かにより、タップ検出を行う。ダブルタップの場合は、ＣｏｕｎｔＡは２に設定され、トリプルタップの場合は、ＣｏｕｎｔＡは３に設定される。また、ＴｉｍｅＡやＴｈｒｅｓｈＡについても、学習情報によって変化させることができる。
【００９７】
（２）揺れ状態の検出
撮像装置１０１の揺れ状態を、撮像装置１０１に取り付けられたジャイロセンサや加速度センサの出力値より検出することが可能である。ジャイロセンサや加速度センサの出力に対してＨＰＦで高周波成分をカットし、ＬＰＦで低周波成分をカットした後、絶対値変換を行う。算出した絶対値が所定時間ＴｉｍｅＢ間に、所定閾値ＴｈｒｅｓｈＢを超えた回数が、所定回数ＣｏｕｎｔＢ以上であるか否かにより、振動検出を行う。例えば撮像装置１０１を机などに置いたような揺れが小さい状態か、ウエアラブルで撮像装置１０１を装着し歩いているような揺れが大きい状態かを判定することが可能である。また、判定閾値や判定のカウント数の条件を複数もつことで、揺れレベルに応じた細かい揺れ状態を検出することも可能である。
【００９８】
ＴｉｍｅＢやＴｈｒｅｓｈＢやＣｏｕｎｔＢについても、学習情報によって変化させることができる。
【００９９】
上記は揺れ検出センサの条件判定による特定揺れ状態検出の方法を説明した。しかしながら、所定時間内でサンプリングされた揺れ検出センサのデータから、ニューラルネットワークを用いた揺れ状態判定器に入力することで、学習させたニューラルネットワークにより、事前に登録しておいた特定揺れ状態を検出することも可能である。その場合、Ｓ８０２での学習情報読み込みはニューラルネットワークの重みパラメータとなる。
【０１００】
Ｓ８０４で特定揺れ状態検出処理が行われると、Ｓ８０５に進み、予め設定された特定音検出処理を行う。ここでは、Ｓ８０２で読み込まれた学習情報によって、検出判定処理を変更する。いくつかの例を説明する。
【０１０１】
（１）特定音声コマンド検出
特定の音声コマンドを検出する。音声コマンドは事前に登録されたいくつかのコマンドの他、ユーザが特定音声を撮像装置に登録できる。
【０１０２】
（２）特定音シーン認識
予め大量の音声データを基に機械学習により学習させたネットワークにより音シーン判定を行う。例えば、「歓声が上がっている」、「拍手している」、「声を発している」などの特定シーンを検出する。検出するシーンは学習によって変化する。
【０１０３】
（３）音レベル判定
所定時間の間で、音レベルの大きさがレベル所定値を超えている時間を加算するなどの方法によって、音レベル判定による検出を行う。所定時間やレベル所定値の大きさなどが学習によって変化する。
【０１０４】
（４）音方向判定
複数のマイクが設置された平面に対する音の方向を検出することができ、所定大きさの音レベルに対して、音の方向を検出する。
【０１０５】
音声処理部２１４内で上記の判定処理が行われており、事前に学習された各設定により、特定音検出がされたかをＳ８０５で判定する。
【０１０６】
Ｓ８０５で特定音検出処理が行われると、Ｓ８０６に進む。Ｓ８０６では、Ｍａｉｎプロセッサ（第１制御部２２３）はＯＦＦ状態であるか否かを判定し、ＭａｉｎプロセッサがＯＦＦ状態であれば、Ｓ８０７に進み、予め設定された時間の経過検出処理を行う。ここでは、Ｓ８０２で読み込まれた学習情報によって、検出判定処理を変更する。学習情報は、図７で説明したＳ７０６でのＳｕｂプロセッサ（第２制御部２１１）へ情報通信する際に、転送された情報である。ＭａｉｎプロセッサがＯＮからＯＦＦへ遷移したときからの経過時間が計測されており、経過時間がパラメータＴｉｍｅＣ以上であれば、時間経過と判定され、ＴｉｍｅＣより小さければ、時間経過とは判定されない。ＴｉｍｅＣは、学習情報によって変化するパラメータである。
【０１０７】
Ｓ８０７で時間経過検出処理が行われると、Ｓ８０８に進み、低消費電力モード解除判定がされたかを判定する。低消費電力モード解除条件は以下によって判定される。
【０１０８】
（１）特定揺れ検出の判定条件
（２）特定音検出の判定条件
（３）時間経過判定の判定条件
それぞれ、Ｓ８０４での特定揺れ状態検出処理により、特定揺れ検出の判定条件に入ったか否かを判定できる。また、Ｓ８０５での特定音検出処理により、特定音検出の判定条件に入ったか否かを判定できる。また、Ｓ８０７での時間経過検出処理により、時間経過検出の判定条件に入ったか否かを判定できる。したがって、何れか一つ以上の条件に入っていれば、低消費電力モード解除を行うような判定が行われる。
【０１０９】
Ｓ８０８で解除条件判定されると、Ｓ８０９に進みＭａｉｎプロセッサの電源をＯＮし、Ｓ８１０で、低消費電力モード解除と判定された条件（揺れ、音、時間）をＭａｉｎプロセッサに通知し、Ｓ８０１に戻り処理をループする。
【０１１０】
Ｓ８０８で何れの解除条件にも当てはまらず、低消費電力モード解除判定でないと判定されると、Ｓ８０１に戻り処理をループする。
【０１１１】
Ｓ８０６で、ＭａｉｎプロセッサがＯＮ状態であると判定されている場合、Ｓ８０３乃至８０５までで取得した情報をＭａｉｎプロセッサに通知し、Ｓ８０１に戻り処理をループする。
【０１１２】
本実施形態においては、ＭａｉｎプロセッサがＯＮ状態においても揺れ検出や特定音検出をＳｕｂプロセッサで行い、検出結果をＭａｉｎプロセッサに通知する構成にしている。しかしながら、ＭａｉｎプロセッサがＯＮの場合は、Ｓ８０３乃至８０５の処理を行わず、Ｍａｉｎプロセッサ内の処理（図７のＳ７０２）で揺れ検出や特定音検出を行う構成にしてもよい。
【０１１３】
上記のように図７のＳ７０４乃至Ｓ７０７や、図８の処理を行うことで、低消費電力モードに移行する条件や低消費電力モードを解除する条件が、ユーザの操作に基づいて学習される。これにより、撮像装置１０１を所有するユーザの使い勝手に合わせた撮像動作を行うことができる。学習の方法については後述する。
【０１１４】
上記、揺れ検出や音検出や時間経過による低消費電力モード解除方法について詳しく説明したが、環境情報により低消費電力モード解除を行ってもよい。環境情報は温度や気圧や明るさや湿度や紫外線量の絶対量や変化量が所定閾値を超えたか否かで判定することができ、後述する学習により閾値を変化させることもできる。
【０１１５】
また、揺れ検出や音検出や時間経過の検出情報や、各環境情報の絶対値や変化量をニューラルネットワークに基づいて判断し、低消費電力モードを解除することもできるし、後述する学習によって、判定条件を変更することができる。
【０１１６】
＜自動撮影モード処理＞
図９を用いて、自動撮影モード処理の詳細を説明する。前述したように、以下の処理は、本実施形態における撮像装置１０１の第１制御部２２３が制御を受け持つ。
【０１１７】
Ｓ９０１では、画像処理部２０７に撮像部２０６で取り込まれた信号を画像処理させ、被写体認識用の画像を生成させる。
【０１１８】
生成された画像からは、人物や物体認識などの被写体認識が行われる。
【０１１９】
人物を認識する場合、被写体の顔や人体を検出する。顔検出処理では、人物の顔を判断するためのパターンが予め定められており、撮像された画像内に含まれる該パターンに一致する箇所を人物の顔画像として検出することができる。
【０１２０】
また、被写体の顔としての確からしさを示す信頼度も同時に算出し、信頼度は、例えば画像内における顔領域の大きさや、顔パターンとの一致度等から算出される。
【０１２１】
物体認識についても同様に、予め登録されたパターンに一致する物体を認識することができる。
【０１２２】
また、撮像された画像内の色相や彩度等のヒストグラムを使用する方法で特徴被写体を抽出する方法などもある。この場合、撮影画角内に捉えられている被写体の画像に関し、その色相や彩度等のヒストグラムから導出される分布を複数の区間に分け、区間ごとに撮像された画像を分類する処理が実行される。
【０１２３】
例えば、撮像された画像について複数の色成分のヒストグラムが作成され、その山型の分布範囲で区分けし、同一の区間の組み合わせに属する領域にて撮像された画像が分類され、被写体の画像領域が認識される。
【０１２４】
認識された被写体の画像領域ごとに評価値を算出することで、当該評価値が最も高い被写体の画像領域を主被写体領域として判定することができる。
【０１２５】
以上の方法で、撮像情報から各被写体情報を得ることができる。
【０１２６】
Ｓ９０２では、像揺れ補正量の算出を行う。具体的には、まず、装置揺れ検出部２０９において取得した角速度および加速度情報に基づいて撮像装置の絶対角度の算出を行う。そして、絶対角度を打ち消す角度方向にチルト回転ユニット１０４およびパン回転ユニット１０５を動かす防振角度を求め、像揺れ補正量とする。なお、ここでの像揺れ補正量算出処理は、後述する学習処理によって、演算方法を変更することができる。
【０１２７】
Ｓ９０３では、撮像装置の状態判定を行う。角速度情報や加速度情報やＧＰＳ位置情報などで検出した角度や移動量などにより、現在、撮像装置がどのような振動／動き状態なのかを判定する。
【０１２８】
例えば、車に撮像装置１０１を装着して撮影する場合、移動された距離によって周りの風景などの被写体情報が大きく変化する。
【０１２９】
そのため、車などに装着して速い速度で移動している「乗り物移動状態」か否かを判定し、後に説明する自動被写体探索に使用することができる。
【０１３０】
また、角度の変化が大きいか否かを判定し、撮像装置１０１が揺れ角度がほとんどない「置き撮り状態」であるのかを判定する。
【０１３１】
「置き撮り状態」である場合は、撮像装置１０１自体の角度変化はないと考えてよいので、置き撮り用の被写体探索を行うことができる。
【０１３２】
また、比較的、角度変化が大きい場合は、「手持ち状態」と判定され、手持ち用の被写体探索を行うことができる。
【０１３３】
Ｓ９０４では、被写体探索処理を行う。被写体探索は、以下の処理によって構成される。
【０１３４】
（１）エリア分割
図１０を用いて、エリア分割を説明する。図１０（ａ）のように撮像装置（原点Ｏが撮像装置位置とする。）位置を中心として、全周囲でエリア分割を行う。図１０（ａ）の例においては、チルト方向、パン方向それぞれ２２．５度で分割している。図１０（ａ）のように分割すると、チルト方向の角度が０度から離れるにつれて、水平方向の円周が小さくなり、エリア領域が小さくなる。よって、図１０（ｂ）のように、チルト角度が４５度以上の場合、水平方向のエリア範囲は２２．５度よりも大きく設定している。図１０（ｃ）、（ｄ）に撮影画角内でのエリア分割された例を示す。軸１３０１は初期化時の撮像装置１０１の方向であり、この方向角度を基準位置としてエリア分割が行われる。１３０２は、撮像されている画像の画角エリアを示しており、そのときの画像例を図１０（ｄ）に示す。画角に写し出されている画像内ではエリア分割に基づいて、図１０（ｄ）の１３０３〜１３１８のように画像分割される。
【０１３５】
（２）エリア毎の重要度レベルの算出
前記のように分割した各エリアについて、エリア内に存在する被写体やエリアのシーン状況に応じて、探索を行う優先順位を示す重要度レベルを算出する。被写体の状況に基づいた重要度レベルは、例えば、エリア内に存在する人物の数、人物の顔の大きさ、顔の向き、顔検出の確からしさ、人物の表情、人物の個人認証結果に基づいて算出する。また、シーンの状況に応じた重要度レベルは、例えば、一般物体認識結果、シーン判別結果（青空、逆光、夕景など）、エリアの方向からする音のレベルや音声認識結果、エリア内の動き検知情報等である。また、撮像装置の状態判定（Ｓ９０３）で、撮像装置の振動状態が検出されており、振動状態に応じて重要度レベルが変化するようにもすることができる。例えば、「置き撮り状態」と判定された場合、顔認証で登録されている中で優先度の高い被写体（例えば撮像装置のユーザ）を中心に被写体探索が行われるように、特定人物の顔認証を検出すると重要度レベルが高くなるように判定される。また、後述する自動撮影も上記顔を優先して行われることになり、撮像装置のユーザが撮像装置を身に着けて持ち歩き撮影を行っている時間が多くても、撮像装置を取り外して机の上などに置くことで、ユーザが写った画像も多く残すことができる。このときパン・チルトにより探索可能であることから、撮像装置の置き角度などを考えなくても、適当に設置するだけでユーザが写った画像やたくさんの顔が写った集合写真などを残すことができる。なお、上記条件だけでは、各エリアに変化がない限りは、最も重要度レベルが高いエリアが同じとなり、その結果探索されるエリアがずっと変わらないことになってしまう。そこで、過去の撮影情報に応じて重要度レベルを変化させる。具体的には、所定時間継続して探索エリアに指定され続けたエリアは重要度レベルを下げたり、後述するＳ９１０にて撮影を行ったエリアでは、所定時間の間重要度レベルを下げたりしてもよい。
【０１３６】
（３）探索対象エリアの決定
前記のように各エリアの重要度レベルが算出されたら、重要度レベルが高いエリアを探索対象エリアとして決定する。そして、探索対象エリアを画角に捉えるために必要なパン・チルト探索目標角度を算出する。
【０１３７】
Ｓ９０５では、パン・チルト駆動を行う。具体的には、像振れ補正量とパン・チルト探索目標角度に基づいた制御サンプリングでの駆動角度を加算することで、パン・チルト駆動量を算出し、鏡筒回転駆動部２０５によって、チルト回転ユニット１０４、パン回転ユニット１０５をそれぞれ駆動制御する。
【０１３８】
Ｓ９０６ではズームユニット２０１を制御しズーム駆動を行う。具体的には、Ｓ９０４で決定した探索対象被写体の状態に応じてズームを駆動させる。例えば、探索対象被写体が人物の顔であるとき、画像上の顔が小さすぎると検出可能な最小サイズを下回ることで検出ができず、見失ってしまう恐れがある。そのような場合は、望遠側にズームすることで画像上の顔のサイズが大きくなるように制御する。一方で、画像上の顔が大きすぎる場合、被写体や撮像装置自体の動きによって被写体が画角から外れやすくなってしまう。そのような場合は、広角側にズームすることで、画面上の顔のサイズが小さくなるように制御する。このようにズーム制御を行うことで、被写体を追跡するのに適した状態を保つことができる。
【０１３９】
Ｓ９０４乃至Ｓ９０６では、パン・チルトやズーム駆動により被写体探索を行う方法を説明したが、広角なレンズを複数使用して全方位を一度に撮影する撮像システムで被写体探索を行ってもよい。全方位カメラの場合、撮像によって得られる信号すべてを入力画像として、被写体検出などの画像処理を行うと膨大な処理が必要となる。そこで、画像の一部を切り出して、切り出した画像範囲の中で被写体の探索処理を行う構成にする。上述した方法と同様にエリア毎の重要度レベルを算出し、重要度レベルに基づいて切り出し位置を変更し、後述する自動撮影の判定を行う。これにより画像処理による消費電力の低減や高速な被写体探索が可能となる。
【０１４０】
Ｓ９０７では、手動による撮影指示があったがどうかを判定し、撮影指示があった場合、Ｓ９１０に進む。この時、手動による撮影指示は、シャッターボタン押下によるものや、撮像装置の筺体を指等で軽く叩く（タップ）、音声コマンド入力、外部機器からの指示などによってもよい。タップ操作による撮影指示は、ユーザが撮像装置の筺体をタップした際、装置揺れ検出部２０９によって短期間に連続した高周波の加速度を検知し、撮影のトリガーとする撮影指示方法である。音声コマンド入力は、ユーザが所定の撮影を指示する合言葉（例えば「写真とって」等）を発声した場合、音声処理部２１４で音声を認識し、撮影のトリガーとする撮影指示方法である。外部機器からの指示は、例えば撮像装置とＢｌｕｅＴｏｏｔｈ接続したスマートフォン等から、専用のアプリケーションを介して送信されたシャッター指示信号をトリガーとする撮影指示方法である。また、手動による撮影指示は、撮像装置が向いている方向（以下撮影方向）を、ユーザが手で回転させることによって指示できるようにしてもよい。
【０１４１】
図１１は鏡筒回転駆動部２０５の構成を示すブロック図である。図１１の１７０１〜１７０７は、パン軸の駆動に関わる構成である。図１１の１７０８〜１７１４は、チルト軸の駆動制御に関わる構成である。パン軸の駆動とチルト軸の駆動に関わる基本的な構成は同じであるため、パン軸の駆動に関わる構成のみ説明を行い、チルト軸の駆動に関わる構成の説明については省略する。
【０１４２】
図１１において、画像位置−パン位置変換部１７０１は被写体の画像上での目標位置と現在位置の差からパン軸１７０６を駆動する際の目標位置を算出する。図１２は撮像装置で撮像された画像における被写体の現在位置と目標位置の関係を表した図である。画像１８０１は、撮像装置が被写体探索中に画像処理部２０７にて得られたある瞬間の画像である。現在位置１８０２は被写体の現在位置（ｘ１、ｙ１）を示したものである。目標位置１８０３は被写体の目標位置（ｘ０、ｙ０）を示したものである。画像上の被写体の目標位置１８０３と現在位置１８０２の差からパンおよびチルトの目標位置を算出する際には、以下の式を用いる。
【０１４３】
ｋｐ（ｆ）×（ｘ１−ｘ０）      （式１）
ｋｔ（ｆ）×（ｙ１−ｙ０）      （式２）
ｋｐ（ｆ）は撮像装置の焦点距離ｆに応じて変化する被写体の画像上での目標位置と現在位置の差からパンの目標位置を算出するための変換係数である。ｋｔ（ｆ）は撮像装置の焦点距離ｆに応じて変化する被写体の画像上での目標位置と現在位置の差からチルトの目標位置を算出するための変換係数である。
【０１４４】
図１１において、補償器１７０２は、現在のパン位置と画像位置−パン位置変換部１７０１で算出されたパンの目標位置との差を無くすように、公知のＰＩＤ制御演算を行うことで制御出力を算出する。撮影方向変更操作検出部１７０３は、パンの目標位置と現在位置の差（以下、位置偏差）と制御出力、パンの移動速度から撮影方向の変更操作を検出する。撮影方向変更操作検出部１７０３で撮影方向の変更を検出した場合には、制御出力をＯＦＦにしてパンの駆動を停止する。一方、撮影方向変更操作検出部１７０３で撮影方向の変更を検出しなかった場合には、補償器１７０２にて算出された制御出力に応じてパンの駆動制御を行う。ドライバ１７０４は、補償器１７０２にて算出された制御出力に応じた駆動信号を生成する。超音波モータ（ＵＳＭ）１７０５は、パン軸１７０６を駆動するためのアクチュエータである。移動速度検出部１７０７は、パン位置の時間変化からパンの移動速度を算出する。移動速度検出部１７０７は、制御サンプリング毎のパン位置の変化量からパンの移動速度を算出する。
【０１４５】
図１３は、ユーザ操作による撮影方向変更操作を検出して、撮影方向変更操作後の撮影エリアを重要な領域として学習情報を更新する処理を示したフローチャートである。
【０１４６】
Ｓ１９０１において、ユーザによる撮像装置の撮影方向変更操作の有無の判定を行う。ユーザによる撮影方向変更操作の検出は、撮影方向変更操作検出部１７０３で、後述する制御出力および位置偏差が所定の条件を満たした場合に撮影方向変更有と判定する。Ｓ１９０１で撮影方向変更操作を検出した場合には、Ｓ１９０２に進み、位置制御動作を停止する。被写体追尾中や探索中であった場合には中断した上で位置制御動作を停止する。一方、Ｓ１９０１で撮影方向変更操作を検出しなかった場合は、撮影方向変更操作の検出を継続する。Ｓ１９０２で位置制御を停止させた後は、Ｓ１９０３に進んでユーザによる撮影方向変更操作の終了判定を行う。
【０１４７】
撮影方向変更操作の終了判定は、撮影方向変更操作検出部１７０３で、パンの移動速度により撮影方向変更操作の継続または終了を判定する。撮影方向変更操作が終了したと判定した場合には、Ｓ１９０４に進み、撮影方向変更操作の終了判定後の撮影エリア情報を記憶する。記憶するエリアは、撮像装置の位置、パン位置、チルト位置、焦点距離から決まる画角を各分割エリアと比較して最も近いエリアを記憶する。Ｓ１９０３で撮影方向変更操作中であると判定した場合は、撮影方向変更操作終了の検出を継続する。Ｓ１９０５では、Ｓ１９０４で記憶したエリアを他の分割エリアよりも重要なエリアとして学習情報を更新する。Ｓ１９０６では、被写体追尾および位置制御を有効にした上でＳ１９０１に進み、撮影方向変更操作の検出を再開する。
【０１４８】
ユーザが撮影方向変更操作を行う例として、撮像装置１０１で花を撮影中にユーザが鏡筒１０２を手で回転させることにより、撮像装置１０１の光軸が画角外の特定の人物に向くように撮影方向の変更操作をした場合の例を説明する。
【０１４９】
図１４は、撮像装置１０１で花２００１を撮影中に人物２００３の方向にユーザの手で鏡筒１０２を回転させた後に、人物２００３が存在するエリアを重要エリアとして学習情報を更新する例を説明するための模式図である。図１４の光軸２００２は、花２００１を撮影中の撮像装置１０１の光軸の向きを示す。光軸２００４はユーザが手で撮影方向を変更させた後の光軸の向きを示す。矢印２００５は、ユーザが撮影方向を変更した際の鏡筒１０２の回転方向を示している。
【０１５０】
図１５および図１６を用いて、花２００１を撮影中にユーザ操作により人物２００３の方向に撮影方向を変更した後に人物２００３が存在するエリアを重要なエリアとして学習情報を更新するまでの動作について説明する。図１５（ａ）、（ｂ）、（ｃ）、（ｄ）は、花を撮影中から撮影方向を変更して特定人物２００３の方向に撮影方向を変化させて学習情報を更新するまでの間に撮像されたある瞬間の画像を示した図である。図１６は、花を撮影中にユーザが撮影方向を特定人物２００３の方向に変更して、変更後の画角のエリアを重要なエリアとして学習情報を更新するまでの間のパンの制御出力２２０１、位置偏差２２０２、移動速度２２０３の時間変化を示した図である。図１６の時刻ｔａ、ｔｂ、ｔｃ、ｔｄはそれぞれ図１５（ａ）、（ｂ）、（ｃ）、（ｄ）に示す画像を撮像した時刻である。図１６の閾値ＴｈＣは、ユーザが手で鏡筒１０２を回転させたことを判定するために使用する制御出力の閾値である。閾値ＴｈＤｉｆｆは、ユーザが手で鏡筒１０２を回転させたことを判定するために使用する位置偏差の閾値である。制御出力が閾値ＴｈＣ以上でかつ位置偏差が閾値ＴｈＤｉｆｆ以上である時間が所定時間（図１６ではｔ２−ｔ１）継続した場合に、ユーザにより撮影方向の変更がなされたとして、補償器１７０２の制御出力をＯＦＦする。閾値ＴｈＶは、ユーザが撮影方向変更操作を終了したと判定するために使用するパン軸の移動速度の閾値である。最大値ＣＭａｘは補償器１７０２の制御出力の最大値である。位置制御する際には、制御出力を−ＣＭａｘからＣＭａｘの範囲で変更する事によって被写体が画像上の目標位置に位置するようにパン軸の駆動を制御する。図１６の時刻ｔ１はユーザが撮影方向変更操作を開始してから制御出力２２０１が閾値ＴｈＣ以上でかつ位置偏差が閾値ＴｈＤｉｆｆ以上となったときの時刻を示している。時刻ｔ２は、制御出力２２０１が閾値ＴｈＣ以上でかつ位置偏差２２０２が閾値ＴｈＤｉｆｆ以上である時間が撮影方向変更判定時間（ｔ２−ｔ１）経過した時刻を示している。時刻ｔ３は時刻ｔ２以降にはじめてパン軸の移動速度が閾値ＴｈＶ以下となったときの時刻を示している。時刻ｔ４は移動速度が時刻ｔ３で閾値ＴｈＶ以下となってからの経過時間が撮影方向変更終了判定時間（ｔ４−ｔ３）となった時刻を示している。
【０１５１】
図１５（ａ）は、花２００１を撮影中に時刻ｔａのタイミングで撮像した画像を示している。図１５（ａ）の枠２１０１は追尾、探索または撮影対象となる被写体を示す被写体枠である。点２１０２は、被写体枠２１０１の中心の画像上の目標位置となる目標点を示したものである。２つの線が交差する点２１０２が被写体の画像上での目標位置である。通常の撮影動作中（撮影方向変更操作中でない状態）は、被写体枠２１０１の中心と目標点２１０２が重なるように、パン軸またはチルト軸を駆動制御することによって、位置合わせを行う。図１５（ｂ）は、図１５（ａ）の状態において時刻ｔｂのタイミングでユーザが固定部１０３に対して鏡筒１０２を右方向に回転させたときに撮像した画像である。図１５（ｂ）の黒塗りの矢印は、位置制御のパンの駆動方向、白抜きの矢印はユーザの撮影方向変更操作による鏡筒１０２の回転方向である。時刻ｔｂにおける制御出力２２０１、位置偏差２２０２を見ると、制御出力が最大値ＣＭａｘとなっているにもかかわらず、位置偏差２２０２は増加傾向にある。このことからユーザが意図的にパン軸を回転させていると判定することができる。
【０１５２】
本実施形態では、ユーザが手で鏡筒１０２を回転させている状態である事を検知してから、補償器１７０２の制御出力をＯＦＦするまでに所定時間（ｔ２−ｔ１）だけ待ってから撮影方向変更の判定を行っている。これは、意図せずにユーザが鏡筒に触れてしまった場合や、探索駆動中のパン軸またはチルト軸の負荷変動による影響で、ユーザが方向変更操作を行ってない場合に撮影方向変更有と判定しないための対策である。ユーザの撮影方向変更操作を開始してから撮影方向変更判定を素早く行うために、確定するまでの時間を短縮したり、無くしたりしてもよい。
【０１５３】
図１５（ｃ）は、時刻ｔｃで補償器１７０２の制御出力をＯＦＦした状態でユーザの撮影方向変更操作によって新しい被写体の近くまでパン軸を回転させて目標となる被写体が画角に入ったときの図である。このように新たな撮影対象となる被写体が画角に入るまで、ユーザは撮影方向変更操作を継続する必要がある。本実施形態に示す撮像装置１０１のように、撮影方向変更中の画像を直接確認できない場合には、スマートデバイスを使用して変更中の画像を確認しながら操作を行うことで撮影対象となる被写体が画角に入ったことを確認する。その他の撮影対象の被写体が画角内に入った事をユーザが知る手段として、撮影方向変更中に新たな被写体が画角内に入った場合には、ＬＥＤ制御部２２４によりＬＥＤを発光させるか、音声出力部２１８にて音声を出力させることでユーザに報知するようにしてもよい。
【０１５４】
図１５（ｄ）は、時刻ｔ４のタイミングで補償器１７０２の制御出力をＯＮした状態で撮影方向変更後の新しい被写体を追尾、撮影中の画像である。時刻ｔ４は、時刻ｔｄでパンの移動速度２２０３が閾値ＴｈＶ以下となる時間が撮影方向変更操作終了判定時間（ｔ４−ｔ３）以上経過後のタイミングである。時刻ｔ４でユーザによる撮影方向変更操作が終了したと判定した場合には時刻ｔ４の時点での撮影エリアをユーザの好みのエリアとして他のエリアよりも重要度を高く設定したうえで学習情報を更新する。また、このエリアに存在する被写体を重要な被写体として追尾、撮影、認証登録のいずれか一つ以上の動作を行うようにしてもよい。たとえば、図１５（ｄ）に示すように、ユーザによる撮影方向変更操作が終わったことを検出したタイミングで人物２００３が画角内に存在する場合には、人物２００３を重要な被写体として追尾、撮影、認証登録のいずれかの動作を行う。学習情報更新処理は、自動的に行わずにユーザによる学習指示があった場合のみ行うようにしてもよい。例えば、画角に被写体が入ったことを撮像装置がユーザに報知した後に、事前に登録しておいた学習指示用の特定音声コマンドを入力した場合のみ学習情報の更新を行うようにするなど、ユーザから学習指示があった場合のみ学習情報を更新するようにしてもよい。
【０１５５】
本実施形態では、ユーザによる撮像装置の撮影方向変更操作の開始および終了の検出を補償器の制御出力、位置偏差、駆動軸の移動速度によって検出する例を示したが、ユーザによる撮影方向変更操作を検出可能であれば他の方法で検出してもよい。例えば、装置揺れ検出部２０９からのジャイロセンサや加速度センサの信号の時間変化に基づいてユーザによる撮影方向変更の有無を検出するようにしてもよい。
【０１５６】
図１７は、ユーザ操作により撮像装置の撮影方向を変更した際の装置揺れ検出部２０９の加速度センサの出力変化を示している。曲線２３０１は、加速度の時間変化を示している。閾値ＴｈＡ１は、ユーザが撮影方向変更操作を開始したと判定する際に使用する加速度の閾値である。閾値ＴｈＡ２は、ユーザが撮影方向変更操作を終了したと判定する加速度の閾値である。これらの閾値と加速度を比較して、撮影方向変更操作の開始および終了を検出するようにしてもよい。このとき、撮影方向変更操作の誤検知を防ぐために、事前に撮影方向変更操作時の加速度の時間変化パターンを学習させておいて、検出した加速度の時間変化と学習した時間変化パターンとの類似度が所定値以上の場合に撮影方向が変更されたと判定してもよい。同様に、撮像装置により撮像した画像の動きベクトルの変化に応じて撮影方向変更操作の有無を検出するようにしてもよい。
【０１５７】
図９に戻って、Ｓ９０８では、自動撮影判定を行う。自動撮影判定では、自動撮影を行うかどうかの判定と、撮影方法の判定（静止画撮影、動画撮影、連写、パノラマ撮影などの内どれを実行するかの判定）を行う。
【０１５８】
（１）自動撮影を行うかどうかの判定
自動撮影を行うかどうかの判定は以下の２つの判定に基づいて行う。１つは、Ｓ９０４にて得られたエリア別の重要度レベルに基づき、重要度レベルが所定値を超えている場合、自動撮影を実施する判定を下す。２つめは、ニューラルネットワークに基づく判定である。
【０１５９】
ニューラルネットワークの一例として、多層パーセプトロンによるネットワークの例を図１８に示す。ニューラルネットワークは、入力値から出力値を予測することに使用されるものであり、予め入力値と、その入力に対して模範となる出力値とを学習しておくことで、新たな入力値に対して、学習した模範に倣った出力値を推定することができる。なお、学習の方法は後述する。図１８の１２０１およびその縦に並ぶ丸は入力層のニューロンであり、１２０３およびその縦に並ぶ丸は中間層のニューロンであり、１２０４は出力層のニューロンである。１２０２のような矢印は各ニューロンを繋ぐ結合を示している。ニューラルネットワークに基づく判定では、入力層のニューロンに対して、現在の画角中に写る被写体や、シーンや撮像装置の状態に基づいた特徴量を入力として与え、多層パーセプトロンの順伝播則に基づく演算を経て出力層から出力された値を得る。そして、出力の値が閾値以上であれば、自動撮影を実施する判定を下す。なお、被写体の特徴は、現在のズーム倍率、現在の画角における一般物体認識結果、顔検出結果、現在画角に写る顔の数、顔の笑顔度・目瞑り度、顔角度、顔認証ＩＤ番号、被写体人物の視線角度、シーン判別結果等を使用する。また、前回撮影時からの経過時間、現在時刻、ＧＰＳ位置情報および前回撮影位置からの変化量、現在の音声レベル、声を発している人物、拍手、歓声が上がっているか否か等を使用してもよい。また、振動情報（加速度情報、撮像装置の状態）、環境情報（温度、気圧、照度、湿度、紫外線量）等を使用する。更に、ウエアラブルデバイス５０１からの情報通知がある場合、通知情報（ユーザの運動情報、腕のアクション情報、心拍などの生体情報など）も特徴として使用してもよい。この特徴を所定の範囲の数値に変換し、特徴量として入力層の各ニューロンに与える。そのため、入力層の各ニューロンは上記使用する特徴量の数だけ必要となる。
【０１６０】
なお、このニューラルネットワークに基づく判断は、後述する学習処理によって、各ニューロン間の結合重みを変化させることによって、出力値が変化し、判断の結果を学習結果に適応させることができる。
【０１６１】
また、図７のＳ７０２で読み込んだＭａｉｎプロセッサの起動条件によって、自動撮影される判定も変化する。例えば、タップ検出による起動や特定音声コマンドによる起動の場合は、ユーザが現在撮影してほしいための操作である可能性が非常に高い。そこで、撮影頻度が多くなるように設定されるようになる。
【０１６２】
（２）撮影方法の判定
撮影方法の判定では、Ｓ９０１乃至Ｓ９０４において検出した、撮像装置の状態や周辺の被写体の状態に基づいて、静止画撮影、動画撮影、連写、パノラマ撮影などの内どれを実行するかの判定を行う。例えば、被写体（人物）が静止している場合は静止画撮影を実行し、被写体が動いている場合は動画撮影または連写を実行する。また、被写体が撮像装置を取り囲むように複数存在している場合や、前述したＧＰＳ情報に基づいて景勝地であることが判断できた場合には、パン・チルトを操作させながら順次撮影した画像を合成してパノラマ画像を生成するパノラマ撮影処理を実行してもよい。なお、＜自動撮影を行うかどうかの判定＞での判定方法と同様に、撮影前に検出した各種情報をニューラルネットワークに基づく判断によって、撮影方法を判定することもできるし、この判定処理は、後述する学習処理によって、判定条件を変更することができる。
【０１６３】
Ｓ９０９では、Ｓ９０８の自動撮影判定により撮影する判定が下された場合、Ｓ９１０に進み、下されなかった場合、撮影モード処理終了へと進む。
【０１６４】
Ｓ９１０では、自動撮影を開始する。この時、Ｓ９０８にて判定された撮影方法による撮影を開始する。その際、フォーカス駆動制御部２０４によるオートフォーカス制御を行う。また、不図示の絞り制御部およびセンサゲイン制御部、シャッター制御部を用いて、被写体が適切な明るさになるような露出制御を行う。さらに、撮影後には画像処理部２０７において、オートホワイトバランス処理、ノイズリダクション処理、ガンマ補正処理等、種々の公知の画像処理を行い、画像を生成する。
【０１６５】
なお、この撮影の際に、所定の条件を満たした時、撮像装置が撮影対象となる人物に対し撮影を行う旨を報知した上で撮影する方法を取ってもよい。報知の方法は、例えば、音声出力部２１８からの音声やＬＥＤ制御部２２４によるＬＥＤ点灯光を使用してもよいし、パン・チルトを駆動することにより視覚的に被写体の視線を誘導するモーション動作をしてもよい。所定の条件は、例えば、画角内における顔の数、顔の笑顔度・目瞑り度、被写体人物の視線角度や顔角度、顔認証ＩＤ番号、個人認証登録されている人物の数等である。また、撮影時の一般物体認識結果、シーン判別結果、前回撮影時からの経過時間、撮影時刻、ＧＰＳ情報に基づく現在位置が景勝地であるか否か、撮影時の音声レベル、声を発している人物の有無、拍手、歓声が上がっているか否か等である。また、振動情報（加速度情報、撮像装置の状態）、環境情報（温度、気圧、照度、湿度、紫外線量）等である。これらの条件に基づき報知撮影を行うことによって、重要性が高いシーンにおいてカメラ目線の好ましい画像を残すことができる。
【０１６６】
また、所定の条件を複数もち、各条件に応じて音声を変更したり、ＬＥＤの点灯方法（色や点滅時間など）を変更したり、パン・チルトのモーション方法（動き方や駆動速度）を変更してもよい。
【０１６７】
このような撮影前の報知についても、撮影画像の情報、或いは撮影前に検出した各種情報をニューラルネットワークに基づいて判断し、報知の方法やタイミングを判定することもできる。また、後述する学習処理によって、判定条件を変更することができる。
【０１６８】
Ｓ９１１では、Ｓ９１０にて生成した画像を加工したり、動画に追加したりといった編集処理を行う。画像加工については、具体的には、人物の顔や合焦位置に基づいたトリミング処理、画像の回転処理、ＨＤＲ（ハイダイナミックレンジ）効果、ボケ効果、色変換フィルタ効果などである。画像加工は、Ｓ９１０にて生成した画像を元に、上記の処理の組み合わせによって複数生成し、Ｓ９１０にて生成した画像とは別に保存するとしてもよい。また、動画処理については、撮影した動画または静止画を、生成済みの編集動画にスライド、ズーム、フェードの特殊効果処理をつけながら追加するといった処理をしてもよい。Ｓ９１１での編集についても、撮影画像の情報、或いは撮影前に検出した各種情報をニューラルネットワークに基づいて判断し、画像加工の方法を判定することもできるし、後述する学習処理によって、判定条件を変更することもできる。
【０１６９】
Ｓ９１２では撮影画像の学習情報生成処理を行う。ここでは、後述する学習処理に使用する情報を生成し、記録する。具体的には、今回の撮影画像における、撮影時のズーム倍率、撮影時の一般物体認識結果、顔検出結果、撮影画像に写る顔の数、顔の笑顔度・目瞑り度、顔角度、顔認証ＩＤ番号、被写体人物の視線角度等である。また、シーン判別結果、前回撮影時からの経過時間、撮影時刻、ＧＰＳ位置情報および前回撮影位置からの変化量、撮影時の音声レベル、声を発している人物、拍手、歓声が上がっているか否か等である。また、振動情報（加速度情報、撮像装置の状態）、環境情報（温度、気圧、照度、湿度、紫外線量）、動画撮影時間、手動撮影指示によるものか否か、等である。更にユーザの画像の好みを数値化したニューラルネットワークの出力であるスコアも演算する。
【０１７０】
これらの情報を生成し、撮影画像ファイルへタグ情報として記録する。あるいは、不揮発性メモリ２１６へ書き込むか、記録媒体２２１内に、所謂カタログデータとして各々の撮影画像の情報をリスト化した形式で保存する、としてもよい。
【０１７１】
Ｓ９１３では過去の撮影情報の更新を行う。具体的には、Ｓ９０８の説明で述べたエリア毎の撮影枚数や、個人認証登録された人物毎の撮影枚数、一般物体認識で認識された被写体毎の撮影枚数、シーン判別のシーン毎の撮影枚数について、今回撮影された画像が該当する枚数のカウントを１つ増やす。
【０１７２】
＜自動編集モード処理（ハイライト動画）＞
次に、本実施形態における自動編集モード処理（ハイライト動画）について説明する。
【０１７３】
図７のＳ７０４のモード設定判定にて、自動編集処理（ハイライト動画）を行うか否かを判定し、自動編集処理を行う場合、Ｓ７１２の自動編集モード処理を行う。
【０１７４】
自動編集モードの判定条件を説明する。自動編集モードに移行するか否かは、前回編集処理を行ってからの経過時間や、前回編集処理を行った時点以降で撮影された各画像のタグ情報（学習情報やユーザの画像の好みを数値化したスコアなど）に基づいて判定される。Ｓ７０４のモード設定判定処理内で判定される、自動編集モードに移行すべきか否かの判定処理フローを図１９に示す。
【０１７５】
Ｓ７０４のモード設定判定処理内で自動編集モード判定が開始指示されると、図１９の処理がスタートする。Ｓ１００１では、前回自動編集処理が行われてからの経過時間ＴｉｍｅＤを取得し、Ｓ１００２に進む。Ｓ１００２では、前回編集処理を行った時点以降で撮影された各画像に対応した学習情報やスコアなどを取得し、Ｓ１００３に進む。Ｓ１００３では、Ｓ１００２で取得した各データから自動編集を行うべきかどうかを判定するための評価値ＤＢを演算する。評価値の演算方法は、例えば、各画像情報から画像の特徴を抽出し、特徴の種類が多い場合は点数が高くなるようにする。また、上記自動撮影で説明したとおり各画像には、ユーザの好みを判定したスコアが演算されており、スコアが高い画像が多い場合も点数が高くなるようにする。また、撮影された数が多くても点数は高くなるように計算する。これにより評価値はスコアの点数の高さに依存し、画像の数に依存し、特徴の種類にも異存することになる。次に、Ｓ１００４に進む。Ｓ１００４では、ＴｉｍｅＤから閾値ＤＡを演算する。例えば、ＴｉｍｅＤが所定値よりも小さい場合の閾値ＤＡａが、所定値よりも大きい場合の閾値ＤＡｂよりも大きく設定されており、時間経過によって、閾値が小さくなるように設定してある。これにより、撮影データが少ない場合においても、時間経過が大きいと自動編集処理を行うようにすることで、使用時間に応じて撮像装置が自動的にハイライト動画を作成してくれるようにしてある。
【０１７６】
Ｓ１００４の処理を終了すると、Ｓ１００５に進み、評価値ＤＢが、閾値ＤＡより大きい場合、Ｓ１００６に進む。前回自動編集を行った時点から、自動編集すべきデータを得ることができた、或いは時間経過が大きく、自動編集を行うべきだと判定された場合であるので、自動編集モードをＴＲＵＥにして、自動編集モード判定を終了する。Ｓ１００５で、評価値ＤＢが閾値ＤＡ以下である場合は、自動編集すべきデータが揃っていないと判定され、自動編集処理は行わないように自動編集モード判定をＦＡＬＳＥにし、自動編集モード判定処理を終了する。
【０１７７】
次に自動編集モード処理（Ｓ７１２）内の処理について説明する。自動編集モード処理の詳細なフローを図２０に示す。
【０１７８】
Ｓ１１０１にて、記録媒体２２１に保存された静止画像、動画像の選抜処理を第１制御部２２３で実施し編集に使用する画像を選抜し、Ｓ１１０２へ進む。
【０１７９】
ここでいう画像選抜処理とは、撮影された静止画像、動画像の中の顔の数、顔のサイズ、色群などのメタデータを画像毎に抽出し、評価値に換算し定めた閾値以上のものを列挙する事とする。後述する学習により、静止画像及び動画像の選抜比率を決定し、ユーザの設定、撮影頻度、各設定に顧みて優先的に選抜を行うようにする。
【０１８０】
Ｓ１１０２にて、Ｓ１１０１で選抜された画像に対して第１制御部２２３、画像処理部２０７で画像効果付与を行いＳ１１０３に進む。
【０１８１】
ここでいう画像効果付与とは、静止画像において、人物の顔や合焦位置の中心でのトリミング処理、画像の回転処理、ＨＤＲ（ハイダイナミックレンジ）効果、ボケ効果、スライド、ズーム、フェードの特殊効果処理、色フィルタ効果などとする。
【０１８２】
動画像においても同様に色フィルタ付与を行う。
【０１８３】
Ｓ１１０３にて、第１制御部２２３にて画像再生時間の設定を行いＳ１１０４に進む。Ｓ１１０１にて選抜された画像を用いて、Ｓ１１０５で説明するハイライト動画の作成のため、後述する学習に基づいて適切な画像の再生時間を設定する。
【０１８４】
Ｓ１１０４にて、第１制御部２２３にてＳ１１０５で説明するハイライト動画に付与する音楽（ＢＧＭ）の設定を行いＳ１１０５に進む。音楽（ＢＧＭ）の設定についても後述する学習した結果よりユーザへ提供する最も適切なものを設定する事とする。
【０１８５】
Ｓ１１０５にて、第１制御部２２３にてＳ１１０１からＳ１１０４で行った結果を用いて一連のハイライト動画作成を行う。作成したハイライト動画は、記録媒体２２１に保存する。
【０１８６】
なお、上記説明した画像の選抜や、画像効果付与や、再生時間やＢＧＭ選択は、各画像に付加されているタグ情報（撮影画像の情報、或いは撮影前に検出した各種情報）から、ニューラルネットワークに基づく判断によって、判定することができる。また、後述する学習処理によって、判定条件を変更することもできる。
【０１８７】
＜学習モード処理＞
次に、本実施形態におけるユーザの好みに合わせた学習について説明する。
【０１８８】
本実施形態では、図１８に示すようなニューラルネットワークを用い、機械学習アルゴリズムを使用して、学習処理部２１９にてユーザの好みに合わせた学習を行う。ニューラルネットワークは、入力値から出力値を予測することに使用されるものであり、予め入力値の実績値と出力値の実績値を学習しておくことで、新たな入力値に対して、出力値を推定することができる。ニューラルネットワークを用いることにより、前述の自動撮影や自動編集、被写体探索に対して、ユーザの好みに合わせた学習を行う。
【０１８９】
また、ニューラルネットワークに入力する特徴データともなる被写体登録（顔認証や一般物体認識など）を行ったり、撮影報知制御や低消費電力モード制御やファイル自動削除を学習によって変更することも行う。
【０１９０】
本実施形態において、学習処理により、学習される要素は以下である。
【０１９１】
（１）自動撮影
自動撮影に対する学習について説明する。自動撮影では、ユーザの好みに合った画像の撮影を自動で行うための学習を行う。図９のフローを用いた説明で上述したように、撮影後（Ｓ９１２）に学習情報生成処理が行われている。後述する方法により学習させる画像を選択し、画像に含まれる学習情報を基に、ニューラルネットワークの重みを変化させることで学習する。学習は、自動撮影タイミングの判定を行うニューラルネットワークの変更と、撮影方法（静止画撮影、動画撮影、連写、パノラマ撮影など）の判定を行うニューラルネットワークの変更とで行われる。
【０１９２】
（２）自動編集
自動編集に対する学習について説明する。自動編集では、図９のステップ９１１での撮影直後の編集と、図２０で説明したハイライト動画の編集のそれぞれに対して学習が行われる。撮影直後の編集について説明する。後述する方法により学習させる画像を選択し、画像に含まれる学習情報を基に、ニューラルネットワークの重みを変化させることで学習する。撮影或いは撮影直前の情報により得られた各種検出情報をニューラルネットワークに入力し、編集方法（トリミング処理、画像の回転処理、ＨＤＲ（ハイダイナミックレンジ）効果、ボケ効果、色変換フィルタ効果など）の判定を行う。ハイライト動画の編集について説明する。ハイライト動画は、ユーザの好みに合ったアルバム動画作成を自動で行うための学習を行う。後述する方法により学習させる画像を選択し、画像に含まれる学習情報を基に、ニューラルネットワークの重みを変化させることで学習する。撮影或いは撮影直前の情報により得られた各種検出情報をニューラルネットワークに入力し、画像効果付与（トリミング処理、回転処理、ＨＤＲ効果、ボケ効果、スライド、ズーム、フェード、色変換フィルタ効果、ＢＧＭ、時間、静止画動画比率）の判定を行う。
【０１９３】
（３）被写体探索
被写体探索に対する学習について説明する。被写体探索では、ユーザの好みに合った被写体の探索を自動で行うための学習を行う。図９のフローを用いた説明で上述したように、被写体探索処理（Ｓ９０４）において、各エリアの重要度レベルを算出し、パン・チルト、ズームを駆動し、被写体探索を行っている。学習は撮影画像や探索中の検出情報によって学習され、ニューラルネットワークの重みを変化させることで学習する。探索動作中の各種検出情報をニューラルネットワークに入力し、重要度レベルの算出を行い、重要度レベルに基づきパン・チルトの角度を設定することで学習を反映した被写体探索を行う。また、重要度レベルに基づくパン・チルト角度の設定以外にも、例えば、パン・チルト駆動（速度、加速度、動かす頻度）の学習も行う。
【０１９４】
（４）被写体登録
被写体登録に対する学習について説明する。被写体登録では、ユーザの好みに合った被写体の登録やランク付けを自動で行うための学習を行う。学習として、例えば、顔認証登録や一般物体認識の登録、ジェスチャーや音声認識、音によるシーン認識の登録を行う。認証登録は人と物体に対する認証登録を行い、画像が取得される回数や頻度、手動撮影される回数や頻度、探索中の被写体の現れる頻度からランク設定を行う。登録された情報は、各ニューラルネットワークを用いた判定の入力として登録されることになる。
【０１９５】
（５）撮影報知制御
撮影報知に対する学習について説明する。図９のＳ９１０で説明したように、撮影直前に、所定の条件を満たしたとき、撮像装置が撮影対象となる人物に対して撮影を行う旨を報知した上で撮影することも行う。例えば、パン・チルトを駆動することにより視覚的に被写体の視線を誘導するモーションや、音声出力部２１８から発するスピーカー音や、ＬＥＤ制御部２２４によるＬＥＤ点灯光を使用する。上記報知の直後に被写体の検出情報（例えば、笑顔度、目線検出、ジェスチャー）が得られたか否かで、検出情報を学習に使用するかを判定し、ニューラルネットワークの重みを変化させることで学習する。または、後述する方法により学習させる画像を選択し、画像に含まれる学習情報を基に、ニューラルネットワークの重みを変化させることで学習する。画像には、撮影直前にどのように報知動作が行われたかの情報が埋め込まれており、選択された画像に付加された検出情報や上記撮影直前の報知動作情報を教師データとして学習する。撮影直前の各検出情報をニューラルネットワークに入力し、報知を行うか否かの判定や、各報知動作（音（音レベル／音の種類／タイミング）、ＬＥＤ光（色、点灯時間、点滅間隔）、パン・チルトモーション（動き方、駆動速度））の判定を行う。各報知動作の学習については、予め用意された報知方法（音、ＬＥＤ光、パン・チルトモーションの複合動作）の中からどの報知を行うかを選択する学習を行う方法でもよい。また、音、ＬＥＤ光、パン・チルトモーションの各報知動作それぞれに対して別々のニューラルネットワークを設けてそれぞれの動作を学習する方法でもよい。
【０１９６】
（６）低消費電力モード制御
図７、図８を用いて、説明したようにＭａｉｎプロセッサ（第１制御部２２３）の供給電源をＯＮ／ＯＦＦする制御を行うが、低消費電力モードからの復帰条件や、低消費電力状態への遷移条件の学習が行われる。
【０１９７】
まず、低消費電力モードを解除する条件の学習について説明する。
【０１９８】
［タップ検出］
上述したとおり、所定時間ＴｉｍｅＡや所定閾値ＴｈｒｅｓｈＡを学習により変化させる。上記のタップ検出の閾値を下げた状態での仮タップ検出も行っており、タップ検出前に仮タップ検出が判定されていたか否かで、ＴｉｍｅＡやＴｈｒｅｓｈＡのパラメータを検出し易いように設定する。また、タップ検出後の検出情報から、起動要因ではなかった（上述した被写体探索や自動撮影判定の結果、撮影対象がいない）と判定されると、ＴｉｍｅＡやＴｈｒｅｓｈＡのパラメータを検出し難いように設定する。起動時の撮影対象がいるか否かの判定は後述する学習方法により学習された画像に埋め込まれた被写体検出情報により変化することになる。
【０１９９】
［揺れ状態検出］
上述したとおり、所定時間ＴｉｍｅＢや所定閾値ＴｈｒｅｓｈＢや所定回数ＣｏｕｎｔＢなど学習により変化させる。揺れ状態により起動条件に入った場合、起動を行うが、起動後所定時間間の検出情報から、起動要因ではなかった（上述した被写体探索や自動撮影判定の結果、撮影対象がいない）と判定されると、揺れ状態判定のパラメータを変更し、起動し難いように学習する。また、揺れが大きい状態での撮影頻度が高いと判定されると、揺れ状態判定により起動し易いように設定する。起動時の撮影対象がいるか否かの判定や、揺れが大きい状態での撮影頻度が多いかの判定は、後述する学習方法により学習された画像に埋め込まれた被写体検出情報や撮影時の揺れ情報などにより変化することになる。
【０２００】
［音検出］
ユーザが検出したい特定音声や、特定音シーンや、特定音レベルを、例えば外部機器３０１の専用アプリケーションと通信を介して、手動で設定することでの学習ができる。また、複数の検出を音声処理部に予め設定しておき、後述する方法により学習させる画像を選択させ、画像に含まれる撮影前後の音情報などの学習情報を基に、学習する。これにより、起動要因とする音判定（特定音コマンドや、「歓声」「拍手」などの音シーン）を設定でき、音検出による起動を学習することができる。
【０２０１】
［環境情報検出］
ユーザが起動したい環境情報変化の条件を、例えば外部機器３０１の専用アプリケーションと通信を介して、手動で設定することでの学習ができる。例えば、温度や気圧や明るさや湿度や紫外線量の絶対量や変化量の特定条件によって起動させることができる。また、各環境情報に基づく、判定閾値を学習することもできる。環境情報による起動後後の検出情報から、起動要因ではなかった（上述した被写体探索や自動撮影判定の結果、撮影対象がいない）と判定されると、各判定閾値のパラメータを検出し難いように設定したりする。或いは、後述する学習方法により学習された画像に埋め込まれた各環境の情報から学習することで、環境情報による起動を学習することができる。例えば、温度上昇時において撮影された画像を多く学習させた場合、温度上昇時に駆動し易いように学習がされることになる。また、上記各パラメータは、電池の残容量によっても変化する。例えば、電池残量が少ないときは各種判定に入り難くなり、電池残量が多いときは各種判定に入り易くなる。具体的には、ユーザが必ず撮像装置を起動してほしい要因でない条件である揺れ状態検出結果や、音検出の音シーン検出は、電池残量によって各検出判定のし易さが変化することになる。
【０２０２】
次に、低消費電力状態への遷移条件の学習について説明する。
【０２０３】
図７に示したとおり、モード設定判定７０４で、「自動撮影モード」「自動編集モード」「画像自動転送モード」「学習モード」「ファイル自動削除モード」の何れでもないと判定されると、低消費電力モードに入る。各モードの判定条件については、上述したとおりであるが、各モードを判定される条件についても学習によって変化する。自動撮影モードについては、上述したとおり、エリア毎の重要度レベルを判定し、パン・チルトで被写体探索をしながら自動撮影を行うが、撮影される被写体がいないと判定されると、自動撮影モードを解除する。例えば、すべのエリアの重要度レベルや、各エリアの重要度レベルを加算した値が、所定閾値以下になったとき、自動撮影モードを解除する。このとき、自動撮影モードに遷移してからの経過時間によって所定閾値を下げていくことも行われる。自動撮影モードに遷移してから経過時間が大きくなるにつれて低消費電力モードへ移行し易くしている。また、電池の残容量によって所定閾値を変化させることで、電池もちを考慮した低消費電力モード制御を行うことができる。例えば、電池残量が少ないときは閾値が大きくなり、電池残量が多いときは閾値が小さくなる。ここで、前回自動撮影モードに遷移してからの経過時間と撮影枚数によって、Ｓｕｂプロセッサに対して、次回の低消費電力モード解除条件のパラメータ（経過時間閾値ＴｉｍｅＣ）を設定する。
【０２０４】
上記の各閾値は学習によって変化する。学習は、例えば外部機器３０１の専用アプリケーションと通信を介して、手動で撮影頻度や起動頻度などを設定することで、学習ができる。また、撮像装置１０１の電源ボタンをＯＮしてから、電源ボタンをＯＦＦするまでの経過時間の平均値や時間帯ごとの分布データを蓄積し、各パラメータを学習する構成にしてもよい。その場合、電源ＯＮからＯＦＦまでの時間が短いユーザに対しては低消費電力モードからの復帰や、低消費電力状態への遷移の時間間隔が短くなり、電源ＯＮからＯＦＦまでの時間が長いユーザに対しては間隔が長くなるように学習される。また、探索中の検出情報によっても学習される。学習によって設定された重要となる被写体が多いと判断されている間は、低消費電力モードからの復帰や、低消費電力状態への遷移の時間間隔が短くなり、重要となる被写体が少ない間は、間隔が長くなるように学習される。
【０２０５】
（７）ファイル自動削除
ファイル自動削除に対する学習について説明する。ファイル自動削除では、ファイルの空き容量や優先して削除する画像の選択などについて学習を行う。後述する方法により学習させる画像を選択し、画像に含まれる学習情報を基に、ニューラルネットワークの重みを変化させることで学習することができる。上述したように、上記自動撮影で説明したとおり各画像には、ユーザの好みを判定されたスコアが演算されており、スコアが低い画像が優先して記録媒体２２１から削除される。また、スコアの点数だけでなく、記録媒体２２１内の各画像に埋め込まれた撮影日時や、後述する方法で、選択されたハイライト動画（自動編集された動画）の編集内容によって学習する。例えば、取得されたハイライト動画が、短い時間間隔で撮影された画像が多い場合、撮影された日時が古いファイルが優先的に削除されるが、長い時間間隔で撮影された画像を含む場合、日時が古くてもスコアの高いファイルは削除しないように学習される。或いは、逐次所定時間間隔で、記録媒体２２１内の各画像のスコアを再計算するようにする。スコア算出時のニューラルネットワークには撮影日時情報も入力されており、短い時間間隔で撮影された画像が多い場合、撮影日時が古いファイルはスコアが低くなるように学習される。これにより、優先的に削除されるようになり、長い時間間隔で撮影された画像を含む場合、日時が古くてもスコアは低くならないように学習されることで、日時が古くてもスコアの高いファイルは削除しないように学習される。他の例では、後述する方法で学習させる画像が選択されるが、選択される画像の日時が比較的新しいものが集中して選択されることが多い場合、撮影された日時が古いファイルが優先的に削除される。しかし、選択される画像の日時が古いものも選択されることが多い場合は、日時が古くてもスコアの高いファイルは削除しないように学習する。他の例では、撮影頻度が多くなるように学習されている場合は、ファイルの空き領域を多くとるようにファイルが自動削除され、撮影頻度が少なくなるように学習されている場合は、ファイルの空き領域は少なくていいようにファイルの自動削除が行われる。他の例では、動画の撮影頻度が多くなるように学習されている場合、ファイルの空き領域を多くとるようにファイルが自動削除され、静止画の撮影頻度が多くなるように学習されている場合、ファイルの空き領域は少なくなるようにファイルの自動削除が行われる。
【０２０６】
（８）像揺れ補正
像揺れ補正に対する学習について説明する。像揺れ補正は、図９のＳ９０２で補正量を算出し、補正量に基づいてＳ９０５でパン・チルトを駆動することにより、像揺れ補正を行う。像揺れ補正では、ユーザの揺れの特徴に合わせた補正を行うための学習を行う。撮影画像に対して、例えば、ＰＳＦ（Ｐｏｉｎｔ  Ｓｐｒｅａｄ  Ｆｕｎｃｔｉｏｎ）を推定することにより、ブレの方向及び大きさを推定することが可能である。図９のＳ９１２の学習用情報生成では、推定したブレの方向と大きさが、情報として画像に付加されている。図７のＳ７１６での学習モード処理内では、推定したブレの方向と大きさを出力として、撮影時の各検出情報を入力として、揺れ補正用のニューラルネットワークの重みを学習させる。撮影時の各検出情報とは、撮影前所定時間における画像の動きベクトル情報や、検出した被写体（人や物体）の動き情報、振動情報（ジャイロ出力、加速度出力、撮像装置の状態）等である。他にも、環境情報（温度、気圧、照度、湿度）、音情報（音シーン判定、特定音声検出、音レベル変化）、時間情報（起動からの経過時間、前回撮影時からの経過時間）、場所情報（ＧＰＳ位置情報、位置移動変化量）なども入力に加えて判定してもよい。
【０２０７】
Ｓ９０２での補正量算出時において、上記各検出情報をニューラルネットワークに入力することで、その瞬間撮影したときのブレの大きさを推定することができ、推定したブレの大きさが大きいときは、シャッター速度を短くするなどの制御が可能となる。また、推定したブレの大きさが大きいときはブレ画像になってしまうので撮影を禁止するなどの方法もとれる。また、パン・チルト駆動角度には制限があるため、駆動端に到達してしまうとそれ以上補正を行うことができないが、上記のように撮影時のブレの大きさと方向を推定することで、露光中揺れ補正するためのパン・チルト駆動に必要な範囲を推定できる。露光中可動範囲の余裕がない場合は、揺れ補正量を算出するフィルタのカットオフ周波数を大きくして、可動範囲を超えないように設定することで、大きなブレを抑制することもできる。また、可動範囲を超えそうな場合は、露光直前にパン・チルトの角度を可動範囲を超えそうな方向とは逆の方向に回転してから、露光開始することで、可動範囲を確保してブレない撮影を行うこともできる。これにより、ユーザの撮影時の特徴や使い方に合わせて揺れ補正を学習することができるので、ブレのない画像を撮影することができる。
【０２０８】
また、上述した「撮影方法の判定」において、流し撮り撮影を行うか否かを判定し、撮影前までの検出情報から、被写体をブレなく撮影するためのパン・チルト駆動速度を推定して、被写体ブレ補正を行ってもよい。ここで、流し撮り撮影は、動いている被写体はブレがなく、動いていない背景が流れる撮影である。その場合、上記各検出情報をニューラルネットワークに入力することで、静止画像撮影中の駆動速度を推定する。学習は、画像を各ブロックで分割して、各ブロックのＰＳＦを推定することで、主被写体が位置するブロックでのブレの方向及び大きさを推定し、その情報を基に学習することができる。また、後述する学習方法により、選択された画像の背景の流れ量に基づいて、背景の流し量を学習することもできる。その場合、選択された画像の中で、主被写体が位置しないブロックでのブレの大きさを推定し、その情報を基にユーザの好みを学習することができる。学習した好みの背景流し量に基づいて、撮影時のシャッター速度を設定することで、ユーザの好みにあった流し撮り効果が得られる撮影を自動で行うことができる。
【０２０９】
（９）画像自動転送
画像自動転送に対する学習について説明する。画像自動転送では、記録媒体２２１に記録された画像の中から、優先して転送する画像の選択や転送頻度などについて学習を行う。後述する方法により学習させる画像を選択し、画像に含まれる学習情報を基に、ニューラルネットワークの重みを変化させることで学習することができる。上述したように、上記自動撮影で説明したとおり各画像には、ユーザの好みが判定されたスコアが演算されており、スコアが高い画像を優先して画像転送する。また、過去に画像転送した画像に対応した学習情報も画像転送判定に使用される。後述する方法で学習させる画像が選択されると、画像に含まれる学習情報（特徴量）の何を重要視するかが設定され、過去に画像転送した画像が同じような特徴量を含むものが多い場合、別の特徴量を含み且つスコアの高い画像を転送するように設定する。また、撮像装置の各状態に応じて、画像転送頻度も変化する。電池の残容量によって変化する。例えば、電池残量が少ないときは、画像転送され難く、電池残量が多いときは、画像転送しやすくなるように設定される。具体的に例えば、前回自動転送された時からの経過時間と、その経過時間の間で撮影された画像の中で最も高いスコアとを乗算し、乗算した値が閾値を超えた時に画像転送するようにしておき、閾値を電池残量によって変化するような構成をとっても実現できる。他の例では、撮像装置１０１が設定された撮影頻度に応じて、画像自動転送の頻度を変更する。撮影頻度が多くなるように学習されている場合は、画像自動転送の頻度も多くなるように設定され、撮影頻度が少なくなるように学習されている場合は、画像自動転送の頻度も少なくなるように設定される。このとき撮影頻度によって上記閾値を変化させることで撮影頻度設定に応じた画像転送頻度を変更できる。他の例では、ファイル（記録媒体２２１）の空き容量に応じて、画像自動転送の頻度を変更することも行われる。ファイルの空き容量が多い場合は、画像自動転送の頻度は少なく、ファイルの空き容量が少ない場合は、画像自動転送の頻度が多くなるように設定される。このときファイル空き容量によって上記閾値を変化させることでファイル空き容量に応じた画像転送頻度を変更できる。
【０２１０】
次に、学習方法について説明する。
【０２１１】
学習方法としては、「撮像装置内の学習」と「通信機器との連携による学習」がある。
【０２１２】
撮像装置内学習の方法について、以下説明する。
【０２１３】
本実施形態における撮像装置内学習は、以下の方法がある。
【０２１４】
（１）手動撮影時の検出情報による学習
図９のＳ９０７乃至Ｓ９１３で説明したとおり、本実施形態においては、撮像装置１０１は、手動撮影と自動撮影の２つの撮影を行うことができる。Ｓ９０７で手動操作による撮影指示（上記説明したとおり、３つの判定に基づいて行う。）があった場合は、Ｓ９１２において、撮影画像は手動で撮影された画像であるとの情報が付加される。また、Ｓ９０９にて自動撮影ＯＮと判定されて撮影された場合においては、Ｓ９１２において、撮影画像は自動で撮影された画像であると情報が付加される。
【０２１５】
ここで手動撮影される場合、ユーザの好みの被写体、好みのシーン、好みの場所や時間間隔を基に撮影された可能性が非常に高い。よって、手動撮影時に得られた各特徴データや撮影画像の学習情報を基とした学習が行われるようにする。
【０２１６】
また、手動撮影時の検出情報から、撮影画像における特徴量の抽出や個人認証の登録、個人ごとの表情の登録、人の組み合わせの登録に関して学習を行う。また、被写体探索時の検出情報からは、例えば、個人登録された被写体の表情から、近くの人や物体の重要度を変更するような学習を行う。
【０２１７】
（２）被写体探索時の検出情報による学習
被写体探索動作中において、個人認証登録されている被写体が、どんな人物、物体、シーンと同時に写っているかを判定し、同時に画角内に写っている時間比率を演算しておく。
【０２１８】
例えば、個人認証登録被写体の人物Ａが個人認証登録被写体の人物Ｂと同時に写っている時間比率が所定閾値よりも高い場合重要度が高いと判定できる。このため、人物Ａと人物Ｂが画角内に入る場合は、自動撮影判定の点数が高くなるように各種検出情報を学習データとして保存して学習モード処理Ｓ７１６で学習する。
【０２１９】
他の例では、個人認証登録被写体の人物Ａが一般物体認識により判定された被写体「猫」と同時に写っている時間比率が所定閾値よりも高い場合、重要度が高いと判定できる。このため、人物Ａと「猫」が画角内に入る場合は、自動撮影判定の点数が高くなるように各種検出情報を学習データとして保存する。そして、学習モード処理Ｓ７１６で学習する。
【０２２０】
このように、探索中の被写体の現れる頻度が高い場合に、自動撮影判定の点数が高くなるようにすると、個人認証登録されている被写体の近くの人や物体の重要度も、高くなるように変更することができる。
【０２２１】
また、個人認証登録被写体の人物Ａの笑顔度を検出したり、表情の検出により「喜び」「驚き」などが検出されたとき、同時に写っている被写体は重要であるように学習される処理が行われる。また、表情が「怒り」「真顔」などが検出されたときの、同時に写っている被写体は重要である可能性が低いので学習することはしないなどの処理が行われる。
【０２２２】
次に、本実施形態における外部通信機器との連携による学習を説明する。
【０２２３】
本実施形態における外部通信機器との連携による学習には、以下の方法がある。
【０２２４】
（３）外部通信機器で画像を取得したことによる学習
図３で説明したとおり、撮像装置１０１と外部機器３０１は、通信３０２、３０３の通信手段を有している。主に通信３０２によって画像の送受信が行われ、外部機器３０１内の専用のアプリケーションを介して、撮像装置１０１内の画像を外部機器３０１に通信取得することができる。また、撮像装置１０１内の保存されている画像データのサムネイル画像を外部機器３０１内の専用のアプリケーションを介して、閲覧可能な構成である。これにより、ユーザはサムネイル画像の中から、自分が気に入った画像を選んで、画像確認し、画像取得指示を操作することで外部機器３０１に画像取得できる。
【０２２５】
このとき、ユーザが画像を選んで送信指示し取得しているので、取得された画像はユーザの好みの画像である可能性が非常に高い。よって取得された画像は、学習すべき画像であると判定し、取得された画像の学習情報を基に学習することでユーザの好みの各種学習を行うことができる。
【０２２６】
操作例を説明する。スマートデバイスである外部機器３０１の専用のアプリケーションを介して、撮像装置１０１内の画像を閲覧している例を図２１に示す。表示部４０７に撮像装置内に保存されている画像データのサムネイル画像（１６０４乃至１６０９）を表示してあり、ユーザは自分が気に入った画像を選択し画像取得を行える。このとき、表示方法を変更する表示方法変更部１６０１、１６０２、１６０３が設けられている。１６０１を押下すると日時優先表示モードに変更され、撮像装置１０１内の画像の撮影日時の順番で表示部４０７に画像が表示される。例えば、１６０４は日時が新しく、１６０９が日時は古いように表示される。１６０２を押下するとおすすめ画像優先表示モードに変更される。図９のＳ９１２で演算した各画像に対してユーザの好みを判定したスコアに基づいて、撮像装置１０１内の画像のスコアの高い順番で表示部４０７に画像が表示される。例えば、１６０４はスコアが高く、１６０９がスコアは低いように表示される。１６０３を押下すると人物や物体被写体を指定でき、続いて特定の人物や物体被写体を指定すると特定の被写体のみを表示することもできる。
【０２２７】
１６０１乃至１６０３は同時に設定をＯＮすることもでき、例えばすべての設定がＯＮされている場合、指定された被写体のみを表示し、且つ、撮影日時が新しい画像が優先され、且つ、スコアの高い画像が優先され、表示されることになる。
【０２２８】
このように、撮影画像に対してもユーザの好みを学習しているため、撮影された大量の画像の中から簡単な確認作業でユーザの好みの画像のみを簡単に抽出することが可能である。
【０２２９】
（４）外部通信機器を介して、画像に判定値を入力することによる学習
上記で説明したとおり、撮像装置１０１と外部機器３０１は、通信手段を有しており、撮像装置１０１内の保存されている画像を外部機器３０１内の専用のアプリケーションを介して、閲覧可能な構成である。ここで、ユーザは、各画像に対して点数付を行う構成にしてもよい。ユーザが好みと思った画像に対して高い点数（例えば５点）を付けたり、好みでないと思った画像に対して低い点数（例えば１点）を付けることができ、ユーザの操作によって、撮像装置が学習していくような構成にする。各画像の点数は、撮像装置内で学習情報と共に再学習に使用する。指定した画像情報からの特徴データを入力にした、ニューラルネットワークの出力がユーザが指定した点数に近づくように学習される。
【０２３０】
本実施形態では、通信機器３０１を介して、撮影済み画像にユーザが判定値を入力する構成にしたが、撮像装置１０１を操作して、直接、画像に判定値を入力する構成にしてもよい。その場合、例えば、撮像装置１０１にタッチパネルディスプレイを設け、タッチパネルディスプレイの画面表示部に表示されたＧＵＩボタンをユーザが押下して、撮影済み画像を表示するモードに設定する。そして、ユーザは撮影済み画像を確認しながら、各画像に判定値を入力するなどの方法により、同様の学習を行うことができる。
【０２３１】
（５）外部通信機器内の保存されている画像を解析することによる学習
外部機器３０１は、記憶部４０４を有し、記憶部４０４には撮像装置１０１で撮影された画像以外の画像も記録される構成とする。このとき、外部機器３０１内に保存されている画像は、ユーザが閲覧し易く、公衆回線制御部４０６を介して、共有サーバに画像をアップロードすることも容易なため、ユーザの好みの画像が多く含まれる可能性が非常に高い。
【０２３２】
外部機器３０１は専用のアプリケーションを介して、記億部４０４に保存されている画像を、撮像装置１０１内での学習処理部２１９と同等の学習処理を制御部４１１により処理可能な構成にしてもよい。この場合、処理された学習用データを撮像装置１０１に通信することで、学習する構成にできる。また、撮像装置１０１に学習させたい画像やデータを送信して、撮像装置１０１内で学習するような構成にしてもよい。
【０２３３】
また、専用のアプリケーションを介して、記億部４０４に保存されている画像の中から、学習させたい画像をユーザが選択して、学習する構成にすることもできる。
【０２３４】
（６）外部通信機器で、ＳＮＳのサーバにアップロードされた情報からの学習
人と人の繋がりに主眼をおいた社会的なネットワークを構築できるサービスやウェブサイトであるソーシャル・ネットワーキング・サービス（ＳＮＳ）における情報を学習に使用する方法について説明する。画像をＳＮＳにアップロードする際に、スマートデバイスから画像に関するタグを入力した上で、画像と共に送信する技術がある。また、他のユーザがアップロードした画像に対して好き嫌いを入力する技術もあり、他のユーザがアップロードした画像が、外部機器３０１を所有するユーザの好みの写真であるかも判定できる。
【０２３５】
外部機器３０１内にダウンロードされた専用のＳＮＳアプリケーションで、上記のようにユーザが自らアップロードした画像と画像についての情報を取得することができる。また、ユーザが他のユーザがアップロードした画像に対して好きかどうかを入力することにより、ユーザの好みの画像やタグ情報を取得することもできる。それらの画像やタグ情報を解析し、撮像装置１０１内で学習セットできるようにする構成にする。
【０２３６】
上記のようにユーザがアップロードした画像や、ユーザが好きと判定した画像を取得し、撮像装置１０１内での学習処理部２１９と同等の学習処理を制御部４１１により処理可能な構成にしてもよい。これにより、処理された学習用データを撮像装置１０１に通信することで、学習する構成にすることもできる。もしくは、撮像装置１０１に学習させたい画像を送信して、撮像装置１０１内で学習するような構成にしてもよい。
【０２３７】
また、タグ情報から、ＳＮＳ内に設けられた画像フィルタから、図７の自動編集モード処理Ｓ７１２や図９の編集Ｓ９１１の、色変換フィルタ効果が変化するように学習する。或いは、タグ情報に設定された被写体情報から、ユーザが好みであろう被写体情報を推定し、ニューラルネットワークに入力する検出すべき被写体として登録することによる学習を行う。この被写体情報は、例えば、犬、猫など被写体物体情報や、ビーチなどのシーン情報や、スマイルなどの表情情報などが考えられる。
【０２３８】
また、上記ＳＮＳでのタグ情報（画像フィルタ情報や被写体情報）の統計値から、世の中で今現在流行っている画像情報を推定し、撮像装置１０１内で学習セットできるようにする構成にすることもできる。
【０２３９】
（７）外部通信機器で、パラメータを変更することによる学習
上記で説明したとおり、撮像装置１０１と外部機器３０１は、通信手段を有しており、撮像装置１０１内に現在設定されている学習パラメータを外部機器３０１に通信し、外部機器３０１の記憶部４０４に保存することができる。学習パラメータとしては、例えば、ニューラルネットワークの重みや、ニューラルネットワークに入力する被写体の選択などが考えられる。また、外部機器３０１内の専用のアプリケーションを介して、専用のサーバにセットされた学習パラメータを公衆回線制御部４０６を介して取得して、撮像装置１０１内の学習パラメータに設定することもできる構成とする。これにより、ある時点でのパラメータを外部機器３０１に保存しておいて、撮像装置１０１に設定することで学習パラメータを戻すこともできるし、他のユーザが持つ学習パラメータを専用のサーバを介して取得し自身の撮像装置１０１に設定することもできる。
【０２４０】
また、外部機器３０１の専用のアプリケーションを介して、ユーザが登録した音声コマンドや認証登録、ジェスチャーを登録できるようにしてもよいし、重要な場所を登録してもよい。これらの情報は、自動撮影モード処理（図９）で説明した撮影トリガーが自動撮影判定の入力データとして扱われる。
【０２４１】
また、撮影頻度や起動間隔、静止画動画割合や好みの画像などを設定することができる構成にし、＜低消費電力モード制御＞で説明した起動間隔や、＜自動編集＞で説明した静止画動画割合などの設定を行ってもよい。
【０２４２】
（８）外部通信機器で、画像を手動編集された情報からの学習
外部機器３０１の専用のアプリケーションにユーザの操作により手動で編集できる機能を持たせ、編集作業の内容を学習にフィードバックすることもできる。例えば、画像効果付与の編集が可能であり、画像の学習情報に対して、手動で編集した画像効果付与が判定されるように、自動編集のニューラルネットワークを学習させる。画像効果は、例えば、トリミング処理、回転処理、スライド、ズーム、フェード、色変換フィルタ効果、時間、静止画動画比率、ＢＧＭが考えられる。
【０２４３】
ここで、ユーザ自身が撮影（１）や画像選択（（３）乃至（８））した学習の場合、ユーザが意図的に操作したことから、ユーザの好みを反映させることに対して信頼性のある学習である可能性が高い。しかし、（２）被写体探索時の検出情報による学習は、ユーザが意図時に操作したことによる学習ではないため、ユーザが望まない学習が行われる可能性が含まれている。例えば、探索中に画像情報から、個人認証登録されている被写体と同時に写っている別の人物や物体やシーンを学習するが、頻繁に同時に写っている被写体が必ずしもユーザの好みであるとは限らない。そこで、ユーザが意図的に操作したことによる学習でない（２）の場合よりも、ユーザが意図的に撮影、或いは画像選択した場合の学習（（１）、（３）乃至（８））の方を優先的に学習させる。
【０２４４】
学習用のデータは、撮影時或いは探索中にタグ情報として記録された各種データ（画像情報や振動情報や環境情報や音情報や場所情報など）であり、学習に反映する場合は、この各種データをリスト化した形式で保存している。学習のためのデータ群の数は固定値で決められた数を持つことにする。学習のためのデータ群は、ユーザが意図的に行った学習データである領域と、ユーザが意図的ではない学習データである領域の２つの領域に分割しており、領域のデータ数の比率は、ユーザが意図的に行った学習データ領域の方が大きくなるような比率にしておく。新しい学習反映指示がされた場合、各領域に対応した学習データから削除し、新たな学習データを追加する。例えば、ユーザが意図的に行った学習データを２つ追加する場合は、ユーザが意図的に行った学習データ領域から２つのデータを削除して、新たな２つのデータを追加して再学習する。
【０２４５】
このような構成にすることで、ユーザが意図的に操作したことによる学習でない（２）のときよりも、ユーザが意図的に撮影、或いは画像選択した場合の学習（（１）、（３）乃至（８））の方を優先的に学習させることができる。
【０２４６】
或いは、学習用の各種データの中には、学習データが生成された日付時刻が管理されており、学習データが生成された日付時刻からの経過時間に応じた重み付係数Ｌａを計算する。重み付係数Ｌａは経過時間が大きくなるほど小さくなるように更新されていく。また、ユーザが意図的に行った学習データか、ユーザが意図的ではない学習データかによる重み付係数Ｌｂも、各学習データに対応して管理される。重み付係数Ｌｂは、ユーザが意図的に行った学習データの場合、ユーザが意図的ではない学習データよりも大きくなるように設定される。また、ユーザが意図的に行った学習データの中でも、（１）、（３）乃至（８）のどの学習であるかによって重み付係数Ｌｂを変更してもよい。
【０２４７】
新たな学習データが追加になる場合、現在の学習データ群の中で、重み付係数ＬａとＬｂを乗算した値が最も小さい学習データから優先してデータを削除してから、追加データを挿入し、更新された学習データ群を元に機械学習を行う。
【０２４８】
このような構成にすることで、ユーザが意図的に操作したことによる学習でない（２）のときよりも、ユーザが意図的に撮影、或いは画像選択した場合の学習（（１）、（３）乃至（８））の方を優先的に学習させることができる。
【０２４９】
もしも、図１乃至図６の構成では、撮像装置側に画面がなく優先度の設定が難しく、また、外部装置側のメニューで設定する場合にはユーザの手間を要する。しかし、優先度のフラグ付けのための操作ではなく、撮影処理のための操作や編集処理のための操作に基づいて、自動的に優先度のフラグ付けをすれば、ユーザの手間を削減することができる。また、撮影画像を用いて自動で優先度を評価する場合、例えば、所定時間間隔で撮影している画像を評価する場合、同じものばかり撮影してしまうが必ずしも主要な被写体ではない可能性があり、ユーザの意図が反映されない場合がある。これに対して、本実施形態では、ユーザが意図的に行った処理に基づく優先度のフラグ付けのため、ユーザの意図を十分反映したものとなる可能性が高い。
【０２５０】
次に、学習処理シーケンスについて説明する。
【０２５１】
図７のＳ７０４のモード設定判定にて、学習処理を行うべきか否かを判定し、学習処理を行う場合、学習モードであると判定され、Ｓ７１６の学習モード処理を行う。
【０２５２】
学習モードの判定条件を説明する。学習モードに移行するか否かは、前回学習処理を行ってからの経過時間と、学習に使用できる情報の数、通信機器を介して学習処理指示があったかなどから判定される。Ｓ７０４のモード設定判定処理内で判定される、学習モードに移行すべきか否かの判定処理フローを図２２に示す。
【０２５３】
Ｓ７０４のモード設定判定処理内で学習モード判定が開始指示されると、図２２の処理がスタートする。Ｓ１４０１では、外部機器３０１からの登録指示があるかどうかを判定する。ここでの登録は、上記説明した学習するための登録指示があったかどうかの判定である。例えば、＜通信機器で画像取得された画像情報による学習＞や、＜通信機器を介して、画像に判定値を入力することによる学習＞がある。また、＜通信機器内の保存されている画像を解析することによる学習＞や、＜通信機器内の保存されている画像を解析することによる学習＞などがある。Ｓ１４０１で、外部機器からの登録指示があった場合、Ｓ１４０８に進み、学習モード判定をＴＲＵＥにして、Ｓ７１６の処理を行うように設定する。Ｓ１４０１で外部機器からの登録指示がない場合、Ｓ１４０２に進む。Ｓ１４０２では外部機器からの学習指示があるかどうかを判定する。ここでの学習指示は＜通信機器で、撮像装置パラメータを変更することによる学習＞のように、学習パラメータをセットする指示があったかどうかの判定である。Ｓ１４０２で、外部機器からの学習指示があった場合、Ｓ１４０８に進み、学習モード判定をＴＲＵＥにして、Ｓ７１６の処理を行うように設定し、学習モード判定処理を終了する。Ｓ１４０２で外部機器からの学習指示がない場合、Ｓ１４０３に進む。
【０２５４】
Ｓ１４０３では、前回学習処理（ニューラルネットワークの重みの再計算）が行われてからの経過時間ＴｉｍｅＮを取得し、Ｓ１４０４に進む。Ｓ１４０４では、学習する新規のデータ数ＤＮ（前回学習処理が行われてからの経過時間ＴｉｍｅＮの間で、学習するように指定された画像の数）を取得し、Ｓ１４０５に進む。Ｓ１４０５では、ＴｉｍｅＮから閾値ＤＴを演算する。例えば、ＴｉｍｅＮが所定値よりも小さい場合の閾値ＤＴａが、所定値よりも大きい場合の閾値ＤＴｂよりも大きく設定されており、時間経過によって、閾値が小さくなるように設定してある。これにより、学習データが少ない場合においても、時間経過が大きいと再度学習するようにすることで、使用時間に応じて撮像装置が学習変化し易いようにしてある。
【０２５５】
Ｓ１４０５で閾値ＤＴを演算すると、Ｓ１４０６に進み、学習するデータ数ＤＮが、閾値ＤＴよりも大きいか否かを判定する。ＤＮが、閾値ＤＴよりも大きい場合、Ｓ１４０７に進み、ＤＮを０に設定した後、Ｓ１４０８に進み、学習モード判定をＴＲＵＥにして、Ｓ７１６の処理を行うように設定し、学習モード判定処理を終了する。
【０２５６】
Ｓ１４０６でＤＮが、閾値ＤＴ以下の場合、Ｓ１４０９に進む。外部機器からの登録指示も、外部機器からの学習指示もなく、且つ学習データ数も所定値以下であるので、学習モード判定をＦＡＬＳＥにし、Ｓ７１６の処理は行わないように設定し、学習モード判定処理を終了する。
【０２５７】
次に、学習モード処理（Ｓ７１６）内の処理について説明する。学習モード処理の詳細なフローを図２３に示す。
【０２５８】
図７のＳ７１５での学習モードと判定され、Ｓ７１６に進むと、図２３の処理がスタートする。Ｓ１５０１では、外部機器３０１からの登録指示があるかどうかを判定する。Ｓ１５０１で、外部機器からの登録指示があった場合、Ｓ１５０２に進む。Ｓ１５０２では、各種登録処理を行う。
【０２５９】
各種登録は、ニューラルネットワークに入力する特徴の登録であり、例えば顔認証の登録や、一般物体認識の登録や、音情報の登録や、場所情報の登録などである。
【０２６０】
登録処理を終了すると、Ｓ１５０３に進み、Ｓ１５０２で登録された情報から、ニューラルネットワークへ入力する要素を変更する。
【０２６１】
Ｓ１５０３の処理を終了すると、Ｓ１５０７に進む。
【０２６２】
Ｓ１５０１で外部機器３０１からの登録指示がない場合、Ｓ１５０４に進み、外部機器３０１からの学習指示があるかどうかを判定する。外部機器からの学習指示があった場合、Ｓ１５０５に進み、外部機器から通信された学習パラメータを各判定器（ニューラルネットワークの重みなど）に設定し、Ｓ１５０７に進む。
【０２６３】
Ｓ１５０４で外部機器からの学習指示がない場合、Ｓ１５０６で学習（ニューラルネットワークの重みの再計算）を行う。Ｓ１５０６の処理に入るのは、図２２を用いて説明したように、学習するデータ数ＤＮが閾値を超えて、各判定器の再学習を行える条件である。誤差逆伝搬法或いは、勾配降下法などの方法を使って再学習させ、ニューラルネットワークの重みを再計算して、各判定器のパラメータを変更する。学習パラメータが設定されると、Ｓ１５０７に進む。
【０２６４】
Ｓ１５０７では、ファイル内の画像を再スコア付する。本実施形態においては、学習結果に基づいてファイル（記録媒体２２１）内に保存されているすべての撮影画像にスコアを付けておき、付けられたスコアに応じて、自動編集や自動ファイル削除を行う構成となっている。よって、再学習や外部機器からの学習パラメータのセットが行われた場合には、撮影済み画像のスコアも更新を行う必要がある。よって、Ｓ１５０７では、ファイル内に保存されている撮影画像に対して新たなスコアを付ける再計算が行われ、処理が終了すると学習モード処理を終了する。
【０２６５】
本実施形態においては、ユーザが好んでいると思われるシーンを抽出し、その特徴を学習し、自動撮影や自動編集といった動作に反映させることにより、ユーザの好みの映像を提案する方法を説明したが、本発明はこの用途に限定されない。例えば、あえてユーザ自身の好みとは異なる映像を提案する用途に用いることもできる。その実現方法の例としては、以下のとおりである。
【０２６６】
（１）好みを学習させたニューラルネットワークを用いる方法
学習については、上記説明したとおりユーザの好みの学習を実施する。そして、「自動撮影」のＳ９０８において、ニューラルネットワークの出力値が、教師データであるユーザの好みとは異なることを示す値であるときに自動撮影する。例えば、ユーザが好んだ画像を教師画像とし、教師画像と類似する特徴を示すときに高い値が出力されように学習をさせた場合は、逆に出力値が所定以上低いことを条件として自動撮影を行う。また、同様に被写体探索処理や自動編集処理においても、ニューラルネットワークの出力値が、教師データであるユーザの好みとは異なることを示す値となる処理を実行する。
【０２６７】
（２）好みとは異なるシチュエーションを学習させたニューラルネットワークを用いる方法
この方法では、学習処理の時点で、ユーザの好みとは異なるシチュエーションを教師データとして学習を実行する。例えば、手動で撮影した画像はユーザが好んで撮影したシーンであるとして、これを教師データとする学習方法を上述した。これに対し、本実施形態では逆に手動撮影した画像は教師データとして使用せず、所定時間以上手動撮影が行われなかったシーンを教師データとして追加する。あるいは、教師データの中に手動撮影した画像と特徴が類似するシーンがあれば、教師データから削除してもよい。また、外部通信機器で画像取得した画像と特徴が異なる画像を教師データに加えるか、画像取得した画像と特徴が似た画像を教師データから削除してもよい。このようにすることで、教師データには、ユーザの好みと異なるデータが集まり、学習の結果、ニューラルネットワークは、ユーザの好みと異なるシチュエーションを判別することができるようになる。そして、自動撮影ではそのニューラルネットワークの出力値に応じて撮影を行うことで、ユーザの好みとは異なるシーンを撮影できる。また、自動編集では、同様にユーザの好みとは異なる編集画像の提案が可能となる。
【０２６８】
上記説明したとおり、あえてユーザ自身の好みとは異なる映像を提案することにより、ユーザが手動で撮影をしそびれてしまうシーンにおいて撮影を行うことで撮り逃しを減少させる効果がある。また、ユーザ自身の発想にないシーンでの撮影や編集効果を提案することで、ユーザに気付きを与えたり、嗜好の幅を広げたりといった効果が期待できる。
【０２６９】
また、上記の手段を組み合わせることで、ユーザの好みと多少似ているが一部違うシチュエーションの提案というように、ユーザの好みに対する適合度合いを調節することも容易である。ユーザの好みに対する適合度合いは、モード設定や、前記各種センサの状態、前記検出情報の状態に応じて変更してもよい。
【０２７０】
本実施形態においては、撮像装置１０１内で、学習する構成を基に説明したが、外部機器３０１側に学習処理をもち、学習に必要なデータを外部機器３０１に通信し、外部機器側でのみ学習を実行する構成でも同様の学習効果を実現可能である。その場合、上記＜通信機器で、パラメータを変更することによる学習＞で説明したように、外部機器側で学習したニューラルネットワークの重みなどのパラメータを撮像装置１０１に通信により設定することで学習を行う構成にしてもよい。
【０２７１】
また、撮像装置１０１内と、外部機器３０１内の両方に、それぞれ学習処理をもつ構成にしてもよい。例えば撮像装置１０１内で学習モード処理７１６が行われるタイミングで外部機器３０１が持つ学習情報を撮像装置１０１に通信し、学習パラメータをマージすることで学習を行う構成にしてもよい。
【０２７２】
また、本実施形態の撮像装置では、ユーザの手動による撮影指示によって、静止画撮影だけではなく、動画撮影も可能である。しかしながら、長時間の連続した動画撮影を行うと、処理負荷が大きく発熱量も増加してしまい、ＣＰＵ近傍の局所で動作上限温度を越えてしまう場合がある。
【０２７３】
図２４は、自動撮影制御中に、ユーザによる手動での動画撮影が行われた場合のＣＰＵ近傍での温度上昇特性を示す図である。図２４では例として、手動での動画撮影（例えばＦｕｌｌ−ＨＤ，６０ｆｐｓ）の場合の温度上昇特性について示している。また図中の時間Ｔ１は手動での動画撮影可能時間を示している。時間Ｔ１以上の動画撮影を行うと、動作上限温度を越えてしまい、撮像装置が破損するおそれがある。
【０２７４】
このような課題の解決策として、ユーザの手動による動画撮影時間を予め推定し、その動画撮影による温度上昇分を考慮して自動撮影の制御を行うことが望ましい。そのような自動撮影の制御方法について以下に説明する。
【０２７５】
＜ユーザによる手動動画撮影指示を考慮した自動撮影の制御方法＞
以下に説明する制御方法では、ユーザが手動で動画撮影を行う場合に、学習処理部２１９は、ユーザによる手動での動画の撮影時間を学習する。そして、学習した動画の撮影時間に基づいて、ユーザが手動で動画撮影を行う場合の撮影時間を予測し、それに相当する温度上昇を算出する。少なくともその温度上昇の予測値の分だけ撮像装置１０１の動作上限温度よりも低い温度となるように目標制御温度を算出し、自動撮影動作での温度をその目標制御温度以下となるように制御する。
【０２７６】
より具体的に説明すると、図１に示した撮影状況記録部２２８は、過去のユーザによる手動での動画撮影時間、手動での動画撮影頻度、手動での動画撮影間隔、被写体についての情報、シーンについての情報、地理情報、撮影時刻、ユーザの移動速度等を記録している。
【０２７７】
そして、学習処理部２１９は、撮影状況記録部２２８から得られる情報に基づいて、ユーザによる手動での動画撮影時間と、その時の撮影状況との関連性・規則性を学習する。この学習には、ニューラルネットワークを用いた機械学習が適用される。この学習結果はその時々の状況において、ユーザによる手動の動画撮影が行われた場合の撮影時間の予測に用いられる。
【０２７８】
図１に示した温度管理部２２５は、最も温度が上昇しやすいＣＰＵ近傍の特定箇所の温度、撮像装置の表面温度、外気温を温度センサ２２６から取得するとともに、撮像装置の熱容量情報も取得する。撮像装置にアクセサリーなどが接続されている場合には、そのアクセサリーからも熱容量情報を取得する。
【０２７９】
さらに、温度管理部２２５は、上記の情報と学習処理部２１９から得られた情報に基づいて、自動撮影時の目標制御温度を算出する。目標制御温度の算出は以下の手順で行う。
（１）学習処理部２１９による手動の動画撮影時間の学習の結果を用いて、その時の撮影状況において、ユーザによる手動での動画撮影が行われた場合の撮影時間を推定する。
（２）撮像装置１０１の温度情報を取得し、（１）で推定されたユーザによる手動での動画撮影時間の温度上昇幅を計算する。
（３）撮像装置１０１の動作上限温度から（２）で計算された温度上昇幅を引いた温度以下の温度を自動撮影時の目標制御温度とする。
【０２８０】
自動撮影時は、算出された目標制御温度に収束するように、あるいは目標制御温度を上回らないように撮影方法を変更し、温度を制御する。具体的なアルゴリズムについて、図２５を用いて説明する。
【０２８１】
図２５は、本実施形態における温度を制御しながら撮影動作を行う処理を示すフローチャートである。
【０２８２】
Ｓ２５０１において、温度管理部２２５は、撮像装置１０１の温度情報（ＣＰＵ近傍の特定箇所の温度、装置表面の温度、外気温、撮像装置の熱容量）を取得する。
【０２８３】
Ｓ２５０２では、自動撮影中かユーザの操作による手動での動画撮影中かを判断する。手動での動画撮影中である場合は、Ｓ２５０３において、現在の撮像装置の温度（ＣＰＵ近傍の特定箇所の温度）が、動作上限温度以下であるか否かを判定する。もし、現在の温度が動作上限温度に達していれば、Ｓ２５０４において、手動での動画撮影を中断し、撮像装置の温度を低下させる。一方、Ｓ２５０３で現在の温度が動作上限温度を下回っていれば、手動での動画撮影を継続する。
【０２８４】
次に、Ｓ２５０２で自動撮影中であった場合は、Ｓ２５０５において、温度管理部２２５は、自動撮影中の目標制御温度を算出する。算出の具体的な手順は上述した（１）〜（３）のとおりである。
【０２８５】
Ｓ２５０６では、現在の撮像装置の温度がＳ２５０５で算出された目標制御温度以下であるか否かを判定する。目標制御温度を下回っている場合には、その時に選択されている自動撮影の方法を継続する。Ｓ２５０６で現在の撮像装置の温度が目標制御温度に達していた場合には、Ｓ２５０７において、温度上昇を抑制するような自動撮影の方法を判定する。そのような自動撮影の方法としては、低画質撮影、可変フレームレート撮影、間欠撮影（動画撮影〜中断〜動画撮影といったシーケンスを繰り返す撮影）、静止画撮影、パン・チルト機構の駆動制限（駆動範囲、駆動速度、駆動頻度なを制限）などが考えられる。そして、Ｓ２５０８では、新たに決定された自動撮影方法に切り替えて、自動撮影を継続する。
【０２８６】
次に、上記の制御方法が適用された場合の撮像装置の温度特性について図２６を用いて説明する。図中の［１］、［２］のケースはそれぞれ、
［１］ユーザによる動画撮影が長時間になると予測されるケース
［２］ユーザによる動画撮影が短時間になると予測されるケース
であり、自動撮影中にユーザの指示による手動での動画撮影が割り込んだ場合の温度特性を表している。図中のＴ１、Ｔ２はそれぞれのケースでの手動での動画撮影時間を示している。
【０２８７】
［１］のユーザによる動画撮影が長時間になると予測されるケースの具体例としては、家族、友人、動物などといった特定の被写体を撮影している場合などが挙げられる。一方、［２］のユーザによる動画撮影が短時間になると予測されるケースの具体例としては、風景などを撮影している場合が挙げられる。［１］のケースでは、ユーザによる動画撮影が長時間と推測されることから、動作上限温度に対する温度マージンを大きく取るために、目標制御温度１を低く設定している。また、［２］のケースでは、ユーザによる動画撮影は短時間と推測されているので、動作上限温度に対する温度マージンを大きくとる必要がない。そのため、目標制御温度２は高めに設定されている。
【０２８８】
図２６に示すように、自動撮影中にユーザによる手動での動画撮影が行われても、手動での動画撮影による温度上昇分を予め温度マージンとして動作上限温度から確保している。そのため、動作上限温度を越えることなく、ユーザによる手動での動画撮影を実現することができる。
【０２８９】
しかしながら［２］のケースで例示するように、ユーザによる手動での動画撮影中であっても、撮像装置の動作上限温度に近づく、あるいは達してしまった場合には、手動での動画撮影を中断し、温度が低下するように撮影方法の変更を行う。
【０２９０】
ユーザによる手動の動画撮影後は、再び自動撮影に移行し、目標制御温度に収束するように撮影方法が選択され、自動撮影が継続される。
【０２９１】
上述したようなユーザの手動による動画撮影による温度上昇を考慮して自動撮影方法を制御することによって、自動撮影中に、ユーザの意図するタイミングと時間分の動画撮影を行うことが可能となる。
【０２９２】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【０２９３】
発明は上記実施形態に制限されるものではなく、発明の精神及び範囲から離脱することなく、様々な変更及び変形が可能である。従って、発明の範囲を公にするために請求項を添付する。
【産業上の利用可能性】
【０２９４】
本発明は、デジタルカメラやデジタルビデオカメラの撮影に限らず、監視カメラ、Ｗｅｂカメラ、携帯電話などの撮像装置にも搭載できる。
【符号の説明】
【０２９５】
１０１：撮像装置、３０１：スマートデバイス、５０１：ウエアラブルデバイス、１０４：チルト回転ユニット、１０５：パン回転ユニット
【図１】
2020145556.tif 000003
【図２】
2020145556.tif 000004
【図３】
2020145556.tif 000005
【図４】
2020145556.tif 000006
【図５】
2020145556.tif 000007
【図６】
2020145556.tif 000008
【図７】
2020145556.tif 000009
【図８】
2020145556.tif 000010
【図９】
2020145556.tif 000011
【図１０】
2020145556.tif 000012
【図１１】
2020145556.tif 000013
【図１２】
2020145556.tif 000014
【図１３】
2020145556.tif 000015
【図１４】
2020145556.tif 000016
【図１５】
2020145556.tif 000017
【図１６】
2020145556.tif 000018
【図１７】
2020145556.tif 000019
【図１８】
2020145556.tif 000020
【図１９】
2020145556.tif 000021
【図２０】
2020145556.tif 000022
【図２１】
2020145556.tif 000023
【図２２】
2020145556.tif 000024
【図２３】
2020145556.tif 000025
【図２４】
2020145556.tif 000026
【図２５】
2020145556.tif 000027
【図２６】
2020145556.tif 000028